(57)【要約】【課題】遊技興趣をより高める演出を実行可能な遊技機を提供する。【解決手段】本発明の遊技機は、特定遊技の終了後に遊技者にとって有利な有利状態を設定可能であり、該有利状態は、当該有利状態中に特定遊技が開始されなければ、識別情報の変動表示が所定の継続回数行われると終了する。そして、特定遊技の終了後に有利状態が設定される場合は、当該特定遊技の実行中に遊技球が可変入球口に入球するタイミングで、当該有利状態の継続回数に係る情報を表示する。このため、遊技者に対して意外性を与えることができ、また、「有利状態の継続回数に係る情報」を表示するタイミングを多様にすることができ、遊技興趣を高めることが可能となる。【選択図】図１６
2019208580.tif 000002
【特許請求の範囲】
【請求項１】
識別情報を変動表示させる識別情報表示手段と、
前記識別情報が特定態様で表示されることに基づいて、可変入球口が入球可能状態となる特定遊技を実行する特定遊技実行手段と、
前記特定遊技の終了後に遊技者にとって有利な有利状態を設定可能な有利状態設定手段と、
を備える
ことを特徴とする遊技機。
【発明の詳細な説明】
【技術分野】
【０００１】
本発明は、遊技盤に形成された遊技領域に向けて遊技球を発射することによって遊技を行う遊技機（パチンコ機）に関する。
【背景技術】
【０００２】
遊技盤に形成された遊技領域に向けて遊技球を発射することによって遊技を行う遊技機が知られている。このような遊技機では、所定の付与条件が成立すると、遊技者に特典を付与する。例えば、遊技領域に設けられた始動口に遊技球が入球すると、識別情報（例えば特別図柄など）を変動表示させ、該識別情報が特定態様（例えば大当り図柄など）で停止表示されると、可変入球口が入球可能状態となる特定遊技（例えば大当り遊技など）を行う遊技機が存在する。
【０００３】
このような遊技機では、種々の演出を行うことが一般的である。例えば、上述した特定遊技を行う遊技機では、識別情報の変動表示中に、該識別情報が特定態様で表示される可能性を示唆すべく、キャラクターを表示する演出が行われる（特許文献１）。
【先行技術文献】
【特許文献】
【０００４】
【特許文献１】特開２００８−１７８７５６号公報
【発明の概要】
【発明が解決しようとする課題】
【０００５】
しかしながら、上述した従来の技術は、一般的な遊技者にとって周知の技術であり、遊技興趣を十分に高めることができないという問題があった。
【０００６】
本発明は、上述した課題を解決するためになされたものであり、遊技興趣をより高める演出を実行可能な遊技機を提供することを目的とする。
【課題を解決するための手段】
【０００７】
上述した課題の少なくとも一部を解決するために、本発明の遊技機は次の構成を採用した。すなわち、
識別情報を変動表示させる識別情報表示手段と、
前記識別情報が特定態様で表示されることに基づいて、可変入球口が入球可能状態となる特定遊技を実行する特定遊技実行手段と、
前記特定遊技の終了後に遊技者にとって有利な有利状態を設定可能な有利状態設定手段と、
を備える
ことを特徴とする。
【発明の効果】
【０００８】
本発明によれば、遊技興趣をより高める演出を行うことができる。
【図面の簡単な説明】
【０００９】
【図１】本実施例のパチンコ機の正面図である。
【図２】本実施例の遊技盤の盤面構成を示す説明図である。
【図３】本実施例のパチンコ機における制御回路の構成を示すブロック図である。
【図４】本実施例のセグメント表示部の構成を示す説明図である。
【図５】本実施例の大当り遊技におけるラウンド遊技回数を示す説明図である。
【図６】本実施例の演出表示装置４１の表示内容を例示する説明図である。
【図７】本実施例の主制御基板のＣＰＵによって実行される遊技制御処理を示すフローチャートである。
【図８】本実施例の変動パターン選択テーブルを概念的に示す説明図である。
【図９】本実施例の変動パターン選択テーブルの種類を示す説明図である。
【図１０】本実施例のサブ制御基板のＣＰＵによって実行される演出制御処理を示すフローチャートである。
【図１１】本実施例のサブ制御基板のＣＰＵの受信コマンドに対応する処理を示す説明図である。
【図１２】本実施例のサブ制御基板のＣＰＵによって実行されるＳＴ表示演出処理を示すフローチャートである。
【図１３】本実施例のサブ制御基板のＣＰＵによって実行されるＳＴ表示演出処理を示すフローチャートである。
【図１４】本実施例の「ＳＴ表示演出」が行われる様子を示す説明図である。
【図１５】本実施例の「ＳＴ表示演出」が行われる様子を示す説明図である。
【図１６】本実施例の「ＳＴ表示演出」が行われる様子を示す説明図である。
【図１７】変形例１を示す説明図である。
【図１８】変形例１を示す説明図である。
【発明を実施するための形態】
【００１０】
上述した本発明の内容を明確にするために、本発明を「セブン機」や「デジパチ」と呼ばれるタイプのパチンコ機（遊技機）に適用した実施例について説明する。尚、実施例においては、特に断りがない限りは、パチンコ機正面に向かって右側を「右」と表現し、左側を「左」と表現する。
【００１１】
また、以下の実施例は次のような順序に従って説明する。
Ａ．パチンコ機の装置構成：
Ａ−１．装置前面側の構成：
Ａ−２．遊技盤の構成：
Ａ−３．制御回路の構成：
Ｂ．遊技の内容：
Ｃ．遊技制御処理：
Ｄ．演出制御処理：
Ｅ．ＳＴ表示演出：
Ｆ．変形例：
Ｆ−１．変形例１：
Ｆ−２．変形例２：
【００１２】
Ａ．パチンコ機の装置構成  ：
Ａ−１．装置前面側の構成  ：
図１は、本実施例のパチンコ機１の正面図である。図１に示すように、パチンコ機１の前面部には、前面枠４が設けられている。前面枠４は、一端（図１における左側）が中枠３に対して回動可能に軸支されている。中枠３の前面側には遊技盤２０（図２参照）が着脱可能に取り付けられており、前面枠４が中枠３に対してパチンコ機１前方側に回動（開放）されると、遊技盤２０が露出された状態となる。中枠３は、一端（図１における左側）が本体枠２に対して回動可能に軸支されている。本体枠２は、木製の板状部材を組み立てて構成された略長方形の枠体であり、パチンコ機１の外枠を形成している。
【００１３】
前面枠４の略中央部には窓部４ａが形成されており、この窓部４ａにはガラス板等の透明板４ｂが嵌め込まれている。遊技者は、窓部４ａ（透明板４ｂ）を通して奥側に配置される遊技盤２０の遊技領域を視認可能である。また、前面枠４における窓部４ａの右下方には、小窓部４ｃが形成されており、この小窓部４ｃには合成樹脂板等の透明板４ｄが嵌め込まれている。遊技者は、小窓部４ｃ（透明板４ｄ）を通して奥側に配置された遊技盤２０のセグメント表示部を視認可能である。詳しくは後述するが、セグメント表示部とは、複数のＬＥＤの組合せによって遊技に係る情報を表示する表示部である。
【００１４】
前面枠４における窓部４ａの上方には上部ランプ５ａが設けられ、窓部４ａの周縁部における右部には右サイドランプ５ｂが設けられ、窓部４ａの周縁部における左部には左サイドランプ５ｃが設けられている。また、前面枠４における窓部４ａの左右上方には上部スピーカー６ａが設けられており、本体枠２の下部の前面には下部スピーカー６ｂが設けられている。これらの上部ランプ５ａ、右サイドランプ５ｂ、左サイドランプ５ｃ、上部スピーカー６ａ、下部スピーカー６ｂは、遊技上の演出効果を高めるために駆動される。
【００１５】
前面枠４における窓部４ａの下方には、上皿部７が設けられている。上皿部７には、カードユニット２４２（図３参照）を介して貸し出される遊技球や、パチンコ機１から払い出される遊技球が貯留される。また、上皿部７の下方には下皿部８が設けられており、上皿部７の容量を超えて貸し出された遊技球や、上皿部７の容量を超えて払い出された遊技球が貯留される。
【００１６】
前面枠４における下皿部８の右方には、発射ハンドル９が設けられている。発射ハンドル９の回転軸は、発射ハンドル９の奥側に搭載された発射装置ユニット２６１（図３参照）に接続されている。この発射装置ユニット２６１には、上皿部７に貯留された遊技球が供給される。遊技者が発射ハンドル９を回転させると、その回転が発射装置ユニット２６１に伝達され、発射装置ユニット２６１に内蔵された発射モーターが回転して、回転角度に応じた強さで遊技球が発射される。
【００１７】
また、上皿部７の縁部には遊技者による押下操作が可能な演出ボタン１０ａが設けられており、下皿部８の左方には遊技者による押込操作や回転操作（回転させる操作）が可能なジョグシャトル１０ｂが設けられている。これらの演出ボタン１０ａやジョグシャトル１０ｂは、何れも遊技者によって操作される演出操作部（操作部）であり、所定の条件成立時に遊技者によって操作されると、所定の遊技演出が行われる。
【００１８】
Ａ−２．遊技盤の構成  ：
図２は、遊技盤２０の盤面構成を示す説明図である。前述したように、遊技盤２０は中枠３の前面側に着脱可能に取り付けられている。図２に示すように、遊技盤２０の中央には略円形状の遊技領域２１が形成されている。発射装置ユニット２６１（図３参照）から発射された遊技球は、外レール２２と内レール２３との間を通って遊技領域２１に放出され、遊技領域２１の上方から下方に向かって流下する。遊技領域２１は、前面枠４の窓部４ａを通して遊技者に視認されるので、当然ながら、遊技領域２１を流下する遊技球の様子も窓部４ａを通して遊技者に視認されることとなる。
【００１９】
遊技領域２１の略中央には周縁部に装飾が施された開口部である演出用開口部４０が設けられており、この演出用開口部４０の後方には液晶表示器によって構成された演出表示装置４１が設けられている。演出表示装置４１の表示画面上には、演出用の種々の画像を表示することが可能であり、遊技者は、演出用開口部４０を通して演出表示装置４１の表示画面を視認することができる。
【００２０】
遊技領域２１における演出用開口部４０（演出表示装置４１）の下方には、入球口の大きさが不変（一定）であり遊技球が常時入球可能な始動口である第１始動口２４が設けられている。第１始動口２４に入球した遊技球は、内部に設けられた通路を通って遊技盤２０の裏面側に導かれる。第１始動口２４の内部の通路には第１始動口センサー２４ｓ（図３参照）が設けられており、第１始動口２４に入球した遊技球を検知可能である。
【００２１】
また、遊技領域２１における第１始動口２４の下方には、遊技球の入球可能性が変化する入球口（始動口）である第２始動口２５が設けられている。すなわち、第２始動口２５は、パチンコ機１の前後方向に回動可能な開閉扉２６を備えており、開閉扉２６が略直立して遊技球が入球不能（または入球困難）な閉鎖状態と、開閉扉２６がパチンコ機１の前方側に回動して遊技球が入球可能（または入球容易）な開放状態とに変化可能である。図２では、第２始動口２５が開放状態となっている様子が示されている。第２始動口２５に入球した遊技球は、内部に設けられた通路を通って遊技盤２０の裏面側に導かれる。第２始動口２５の内部の通路には第２始動口センサー２５ｓ（図３参照）が設けられており、第２始動口２５に入球した遊技球を検知可能である。
【００２２】
また、遊技領域２１において演出用開口部４０（演出表示装置４１）の右方には、普通図柄作動ゲート２７が設けられており、普通図柄作動ゲート２７の内部には、遊技球の通過を検知するゲートセンサー２７ｓ（図３参照）が設けられている。
【００２３】
また、遊技領域２１における第１始動口２４の右方には、略長方形状に大きく開口された大入賞口２８（可変入球口）が設けられている。大入賞口２８は、パチンコ機１の前後方向に回動可能な開閉扉２９を備えており、開閉扉２９が略直立して遊技球が入球不能な閉鎖状態と、開閉扉２９がパチンコ機１の前方側に回動して遊技球が入球可能な開放状態（入球可能状態）とに変化可能である。図２では、大入賞口２８が開放状態となっている様子が示されている。大入賞口２８に入球した遊技球は、内部に設けられた通路を通って遊技盤２０の裏面側に導かれる。大入賞口２８の内部の通路には大入賞口センサー２８ｓ（図３参照）が設けられており、大入賞口２８に入球した遊技球を検知可能である。
【００２４】
また、上述した各遊技装置の周辺には、遊技球が入球可能な一般入球口３０や、遊技球の流下経路に影響を与える風車型ホイール３１や多数の障害釘（図示省略）が設けられている。また、遊技領域２１の最下部であって第２始動口２５の左下方と右下方には、２つのアウト口３３が設けられており、上述した第１始動口２４、第２始動口２５、大入賞口２８、一般入球口３０の何れにも入球しなかった遊技球は、アウト口３３から遊技盤２０の裏側に排出される。
【００２５】
上述した第１始動口２４には、演出用開口部４０（演出表示装置４１）の左方の領域を流下する遊技球が入球可能である。これに対して、第２始動口２５、普通図柄作動ゲート２７、大入賞口２８には、演出用開口部４０（演出表示装置４１）の右方の領域を流下する遊技球が入球可能（または通過可能）である。以下では、演出用開口部４０（演出表示装置４１）の左方の領域を流下するように遊技球を発射させることを「左打ち」とも表現し、演出用開口部４０（演出表示装置４１）の右方の領域を流下するように遊技球を発射させることを「右打ち」とも表現する。尚、本実施例のパチンコ機１では、第１始動口２４、第２始動口２５、一般入球口３０の何れかに遊技球が入球した場合は、３個の遊技球が遊技者に払い出され、大入賞口２８に遊技球が入球した場合は、１０個の遊技球が遊技者に払い出される。
【００２６】
遊技盤２０における遊技領域２１の右下方には、ＬＥＤの組合せによって遊技に係る情報を表示するセグメント表示部５０が設けられている。セグメント表示部５０は、前面枠４に設けられた小窓部４ｃ（図１参照）を通して遊技者に視認される。尚、セグメント表示部５０の詳しい表示内容については、後述する「Ｂ．遊技の内容」欄において説明する。
【００２７】
Ａ−３．制御回路の構成  ：
次に、本実施例のパチンコ機１における制御回路の構成について説明する。図３は、本実施例のパチンコ機１における制御回路の構成を示したブロック図である。図示されているようにパチンコ機１の制御回路は、多くの制御基板や、各種基板、中継端子板などから構成されている。詳しくは、遊技の基本的な進行に係る制御を司る主制御基板２００と、遊技の演出に係る制御を司るサブ制御基板２２０と、サブ制御基板２２０の制御下で画像の表示や音声の出力に係る制御を司る画像音声制御基板２３０と、サブ制御基板２２０の制御下でランプの発光に係る制御を司るランプ制御基板２２６と、遊技球の貸し出しや払い出しに係る制御を司る払出制御基板２４０と、遊技球の発射に係る制御を司る発射制御基板２６０などから構成されている。これら制御基板は、各種論理演算および算出演算を実行するＣＰＵ（図３におけるＣＰＵ２０１、２２１、２３１等）や、ＣＰＵで実行される各種プログラムやデータが記憶されているＲＯＭ（図３におけるＲＯＭ２０２、２２２、２３２等）、プログラムの実行に際してＣＰＵが一時的なデータを記憶するＲＡＭ（図３における２０３、２２３、２３３等）、入出力用回路など、種々の周辺ＬＳＩがバスで相互に接続されて構成されている。
【００２８】
主制御基板２００には、第１始動口２４へ入球した遊技球を検知する第１始動口センサー２４ｓや、第２始動口２５へ入球した遊技球を検知する第２始動口センサー２５ｓ、大入賞口２８へ入球した遊技球を検知する大入賞口センサー２８ｓ、普通図柄作動ゲートを通過する遊技球を検知するゲートセンサー２７ｓなどが接続されている。主制御基板２００のＣＰＵ２０１は、第１始動口センサー２４ｓや、第２始動口センサー２５ｓ、大入賞口センサー２８ｓ、ゲートセンサー２７ｓなどから遊技球の検知信号の入力があると、その検知信号の入力のあったセンサーに対応するコマンドを、サブ制御基板２２０や、払出制御基板２４０、発射制御基板２６０などに向けて送信する。
【００２９】
また、主制御基板２００には、第２始動口２５に設けられた開閉扉２６に開閉動作を行わせるための（第２始動口２５を開放状態、閉鎖状態にするための）始動口ソレノイド２６ｍや、大入賞口２８に設けられた開閉扉２９に開閉動作を行わせるための（大入賞口２８を開放状態、閉鎖状態にするための）大入賞口ソレノイド２９ｍ、セグメント表示部５０などが接続されている。主制御基板２００のＣＰＵ２０１は、始動口ソレノイド２６ｍ、大入賞口ソレノイド２９ｍ、セグメント表示部５０に向けて駆動信号を送信することにより、これらの動作の制御を行う。
【００３０】
サブ制御基板２２０には、画像音声制御基板２３０や、ランプ制御基板２２６、演出操作基板２２８が接続されている。サブ制御基板２２０のＣＰＵ２２１は、主制御基板２００からの各種コマンドを受信すると、コマンドの内容を解析して、その内容に応じた遊技演出を行う。すなわち、画像音声制御基板２３０に対しては、出力画像や、出力音声を指定するコマンドを送信し、ランプ制御基板２２６に対しては、上部ランプ５ａ、右サイドランプ５ｂ、左サイドランプ５ｃ（以下「各種ランプ５ａ〜５ｃ」ともいう）の発光パターンを指定するコマンドを送信することによって、遊技の演出を行う。また、サブ制御基板２２０のＣＰＵ２２１は、演出操作基板２２８を介して、演出ボタン１０ａやジョグシャトル１０ｂ（演出操作部１０ａ，１０ｂ）に対する遊技者の操作を検知すると、該操作に対応する遊技演出を行う。
【００３１】
画像音声制御基板２３０は、ＣＰＵ２３１、ＲＯＭ２３２、ＲＡＭ２３３に加えて、ＶＤＰ２３４、画像ＲＯＭ２３６、音声ＲＯＭ２３７を備えている。また、画像音声制御基板２３０には、演出表示装置４１、音声を増幅させるアンプ基板２２４などが接続されている。
【００３２】
画像音声制御基板２３０のＣＰＵ２３１は、サブ制御基板２２０からコマンドを受信すると、そのコマンドに対応する画像の表示をＶＤＰ２３４に指示する。ＶＤＰ２３４は、指示された画像の表示に利用する画像データ（例えば、スプライトデータや動画データなど）を画像ＲＯＭ２３６から読み出して画像を生成し、演出表示装置４１の表示画面に出力する。また、画像音声制御基板２３０のＣＰＵ２３１は、サブ制御基板２２０からコマンドを受信すると、そのコマンドに対応する音声データを音声ＲＯＭ２３７から読み出して、該音声データに基づく音声を、アンプ基板２２４を介して、上部スピーカー６ａおよび下部スピーカー６ｂ（以下「各種スピーカー６ａ，６ｂ」ともいう）から出力する。
【００３３】
払出制御基板２４０には、上皿部７に設けられた球貸ボタン２４１（図１では図示省略）や、パチンコ機１に並設されたカードユニット２４２、払出モーター２４３などが接続されている。球貸ボタン２４１が操作されると、この信号は、払出制御基板２４０を介してカードユニット２４２に伝達される。カードユニット２４２は、払出制御基板２４０とデータを通信しながら、払出モーター２４３を駆動して遊技球の貸し出しを行う。また、主制御基板２００から遊技球の払い出しを指示する払出コマンドを受信した場合も、払出モーター２４３を駆動して遊技球の払い出しを行う。
【００３４】
また、払出制御基板２４０には発射制御基板２６０が接続されており、発射制御基板２６０には、遊技球を発射させるための発射モーター２６２や遊技者が発射ハンドル９に触れていることを検知するタッチスイッチ２６３等を有する発射装置ユニット２６１が接続されている。発射制御基板２６０は、タッチスイッチ２６３を介して遊技者が発射ハンドル９に触れていることを検知すると、発射モーター２６２を駆動することによって、発射ハンドル９の回転角度に応じた強さで遊技球を発射する。
【００３５】
Ｂ．遊技の内容  ：
本実施例のパチンコ機１では、次のようにして遊技が進行する。上皿部７に遊技球が貯留された状態で発射ハンドル９が回転されると、上皿部７に貯留された遊技球が１球ずつ発射装置ユニット２６１に供給されて、図２を用いて前述した遊技領域２１に発射される。遊技球を打ち出す強さは発射ハンドル９の回転角度に対応するので、遊技者は発射ハンドル９の回転角度を変化させることによって、遊技者は所望する領域に遊技球を流下させることができる。例えば、演出用開口部４０（演出表示装置４１）の左方の領域を流下するように遊技球を発射させたり（左打ちを行ったり）、演出用開口部４０（演出表示装置４１）の右方の領域を流下するように遊技球を発射させたり（右打ちを行ったり）することができる。
【００３６】
＜特別図柄の変動表示＞
図２を用いて前述したように、第１始動口２４には左打ちされた遊技球が入球可能である。左打ちされた遊技球が第１始動口２４に入球し、その入球した遊技球が第１始動口センサー２４ｓにより検知されると、所定の判定乱数（後述する大当り判定乱数など）を取得し、該判定乱数に基づいて大当りであるか外れであるかを判定する大当り判定を行う。そして、この大当り判定の結果に基づいて、第１の特別図柄（以下「第１特図」ともいう）を変動表示させた後に停止表示させる。また、図２を用いて前述したように、第２始動口２５には右打ちされた遊技球が入球可能である。右打ちされた遊技球が第２始動口２５に入球し、その入球した遊技球が第２始動口センサー２５ｓにより検知されると、所定の判定乱数（後述する大当り判定乱数など）を取得し、該判定乱数に基づいて大当りであるか外れであるかを判定する大当り判定を行う。そして、この大当り判定の結果に基づいて、第２の特別図柄（以下「第２特図」ともいう）を変動表示させた後に停止表示させる。ここで、第１特図、第２特図について説明する。
【００３７】
図４は、セグメント表示部５０を拡大して示す説明図である。前述したように、セグメント表示部５０は遊技盤２０における遊技領域２１の右下方に設けられており（図２参照）、遊技者は前面枠４の小窓部４ｃ（図１参照）を通してセグメント表示部５０を視認可能である。図４に示すように、セグメント表示部５０には、第１特図を表示する第１特図表示部５１と、第２特図を表示する第２特図表示部５２が設けられており、これらの表示部にはそれぞれ８個のＬＥＤが配置されている。第１特図および第２特図（以下、これらを特に区別をしない場合は、まとめて「特別図柄」という）は、それぞれの表示部において、８個のＬＥＤのうち点灯するＬＥＤを切り替えることによって変動表示され、８個のＬＥＤのうち所定のＬＥＤを点灯した状態とすることで停止表示される。本実施例のパチンコ機１では、第１特図として、大当り図柄１〜１００、外れ図柄１０１の１０１種類の図柄を停止表示可能であり、第２特図として、大当り図柄２０１〜３００、外れ図柄３０１の１０１種類の図柄を停止表示可能である。また、これらの図柄の種類は、点灯するＬＥＤの組合せの相違によって識別可能である。
【００３８】
遊技球が第１始動口２４に入球することに基づく大当り判定（以下「第１特図についての大当り判定」ともいう）の結果が大当りである場合は、第１特図が大当り図柄１〜１００の何れかで停止表示され、第１特図についての大当り判定の結果が外れである場合は、第１特図が外れ図柄１０１で停止表示される。また、遊技球が第２始動口２５に入球することに基づく大当り判定（以下「第２特図についての大当り判定」ともいう）の結果が大当りである場合は、第２特図が大当り図柄２０１〜３００の何れかで停止表示され、第２特図についての大当り判定の結果が外れである場合は第２特図が外れ図柄３０１で停止表示される。こうして特別図柄（第１特図または第２特図）を大当り図柄または外れ図柄で停止表示したら、停止表示された図柄を確定させるべく、図柄が停止表示された状態を所定の時間が経過するまで維持する表示（以下「確定表示」ともいう）を行う。第１特図または第２特図の何れかが大当り図柄で停止表示（確定表示）された場合は、後述する大当り遊技が開始される。以下では、特別図柄が変動表示を開始してから、所定の変動時間の経過により当該変動表示が終了して、特別図柄が大当り図柄または外れ図柄で確定表示されるまでの遊技、すなわち１回の変動表示の結果が得られるまでの遊技を「図柄変動遊技」とも表現する。
【００３９】
＜特別図柄の保留＞
遊技球が第１始動口２４に入球すると、上述したように第１特図についての大当り判定や変動表示が行われるものの、これらの大当り判定や変動表示は、遊技球が第１始動口２４に入球後に直ぐに行われるのではなく、取得された判定乱数を第１特図保留として一旦記憶する。そして、所定の条件が成立したら、記憶した第１特図保留に基づいて大当り判定や第１特図の変動表示を行う。このような第１特図保留は４個を上限として記憶される。第１特図保留の記憶数（第１特図保留数）は、セグメント表示部５０の第１特図保留表示部５３に表示される。すなわち、図４に示すように、第１特図保留表示部５３には２個のＬＥＤが配置されており、この第１特図保留表示部５３では、２個のＬＥＤのうち１個のＬＥＤを点灯することで第１特図保留数が１個であることを示し、２個のＬＥＤを点灯することで第１特図保留数が２個であることを示し、１個のＬＥＤを点滅することで第１特図保留数が３個であることを示し、２個のＬＥＤを点滅することで第１特図保留数が４個であることを示す。
【００４０】
また、遊技球が第２始動口２５に入球すると、上述したように第２特図についての大当り判定や変動表示が行われるものの、これらの大当り判定や変動表示も、遊技球が第２始動口２５に入球後に直ぐに行われるのではなく、取得された判定乱数を第２特図保留として一旦記憶する。そして、所定の条件が成立したら、記憶した第２特図保留に基づいて大当り判定や第２特図の変動表示を行う。このような第２特図保留も４個を上限として記憶される。第２特図保留の記憶数（第２特図保留数）は、セグメント表示部５０の第２特図保留表示部５４に表示される。すなわち、図４に示すように、第２特図保留表示部５４にも２個のＬＥＤが配置されており、この第２特図保留表示部５４では、２個のＬＥＤのうち１個のＬＥＤを点灯することで第２特図保留数が１個であることを示し、２個のＬＥＤを点灯することで第２特図保留数が２個であることを示し、１個のＬＥＤを点滅することで第２特図保留数が３個であることを示し、２個のＬＥＤを点滅することで第２特図保留数が４個であることを示す。
【００４１】
尚、本実施例のパチンコ機１では、何れかの特別図柄の変動表示中や、何れかの特別図柄の確定表示中、後述する大当り遊技中は、第１特図保留や第２特図保留が記憶されていても、これらの保留に係る大当り判定や変動表示は行わない。また、第１特図保留および第２特図保留のうち第１特図保留のみが記憶されている場合は、最先に記憶された第１特図保留に係る大当り判定および第１特図の変動表示を行うが、第２特図保留が記憶されている場合は第１特図保留が記憶されているか否かに拘わらず、最先に記憶された第２特図保留に係る大当り判定および第２特図の変動表示を行う。すなわち、第２特図を第１特図に優先して変動表示させる（いわゆる第２特図の優先変動機能を有する）。また、本明細書では第１特図保留と第２特図保留とを特に区別しない場合は、まとめて「特図保留」とも表現する。
【００４２】
＜普通図柄の変動表示、普図当り遊技＞
図２を用いて前述したように、普通図柄作動ゲート２７は右打ちされた遊技球が通過可能である。右打ちされた遊技球が普通図柄作動ゲート２７を通過し、その遊技球がゲートセンサー２７ｓにより検知されると、所定の判定乱数（後述する普図当り判定乱数）を取得し、該判定乱数に基づいて普図当りであるか外れであるかを判定する普図当り判定を行う。そして、この普図当り判定の結果に基づいて、普通図柄を変動表示させた後に停止表示させる。図４に示すように、セグメント表示部５０には、普通図柄を表示する普図表示部５６が設けられており、普図表示部５６には２個のＬＥＤが配置されている。普通図柄は、普図表示部５６において、２個のＬＥＤのうち点灯するＬＥＤを切り替えることによって変動表示され、２個のＬＥＤのうち所定のＬＥＤを点灯した状態とすることで停止表示される。本実施例のパチンコ機１では、普通図柄として、２個のＬＥＤのうち左のＬＥＤを点灯させた普図当り図柄と、右のＬＥＤを点灯させた普図外れ図柄の２種類の図柄を停止表示可能である。普図当り判定の結果が普図当りである場合は普通図柄が普図当り図柄で停止表示され、普図当り判定の結果が普図外れである場合は普通図柄が普図外れ図柄で停止表示される。こうして普通図柄を当り図柄または外れ図柄で停止表示したら、停止表示された図柄を確定させるべく、図柄が停止表示された状態を所定の時間が経過するまで維持する表示（確定表示）を行う。そして、普通図柄が普図当り図柄で停止表示された場合は、第２始動口２５が開放状態となった後に閉鎖状態となる普図当り遊技が行われる。
【００４３】
＜普通図柄の保留＞
遊技球が普通図柄作動ゲート２７を通過すると、普図当り判定や普通図柄の変動表示が行われるものの、これらの普図当り判定や変動表示は、遊技球が普通図柄作動ゲート２７を通過後に直ぐに行われるのではなく、取得された判定乱数を普図保留として一旦記憶する。そして、所定の条件が成立したら、記憶した普図保留に基づいて普図当り判定や普通図柄の変動表示を行う。このような普図保留も４個を上限として記憶される。普図保留の記憶数（普図保留数）は、セグメント表示部５０の普図保留表示部５７に表示される。すなわち、図４に示すように、普図保留表示部５７には２個のＬＥＤが配置されており、この普図保留表示部５７では、２個のＬＥＤのうち１個のＬＥＤを点灯することで普図保留数が１個であることを示し、２個のＬＥＤを点灯することで普図保留数が２個であることを示し、１個のＬＥＤを点滅することで普図保留数が３個であることを示し、２個のＬＥＤを点滅することで普図保留数が４個であることを示す。尚、本実施例のパチンコ機１では、普図保留が記憶されている場合において、普通図柄の変動表示中、普通図柄の確定表示中、普図当り遊技中の何れでもなければ、最先に記憶された普図保留に係る普図当り判定および普通図柄の変動表示を行う。
【００４４】
＜遊技状態＞
ここで、本実施例のパチンコ機１では、「大当り判定において大当りと判定される確率に係る遊技状態」と、「第２始動口２５への遊技球の入球頻度に係る遊技状態」とが適宜設定される。これらのうち「大当り判定において大当りと判定される確率に係る遊技状態」は、「大当り判定において大当りと判定される確率が低い（３００分の１の確率である）低確率状態」または「大当り判定において大当りと判定される確率が高い（１５０分の１の確率である）高確率状態」に設定される。また、「第２始動口２５への遊技球の入球頻度に係る遊技状態」は、「第２始動口２５への遊技球の入球頻度が低い非電サポ状態」または「第２始動口２５への遊技球の入球頻度が高い電サポ状態」に設定される。上述した「大当り判定において大当りと判定される確率に係る遊技状態」と「第２始動口２５への遊技球の入球頻度に係る遊技状態」とは同時に設定されるものであり、本実施例のパチンコ機１の遊技状態は、低確率状態且つ非電サポ状態（以下「通常状態」ともいう）に設定される場合と、高確率状態且つ電サポ状態（以下「ＳＴ状態」ともいう）に設定される場合とがある。
【００４５】
＜大当り遊技＞
第１特図または第２特図が何れかの大当り図柄で停止表示されると、大入賞口２８が開放状態となるラウンド遊技が複数回（２回、８回、１６回）行われる大当り遊技を開始する。図２を用いて前述したように、大入賞口２８には右打ちされた遊技球が入球可能であるので、大当り遊技中は右打ちが行われることとなる。
【００４６】
本実施例のパチンコ機１では、停止表示された大当り図柄の種類によって、互いに異なる種類の大当り遊技を実行可能である。すなわち、図５（ａ）に示すように、遊技状態が「通常状態」である場合に第１特図が大当り図柄１〜５０あるいは第２特図が大当り図柄２０１〜２５０で停止表示されると（大当り図柄が停止表示される場合の５０％の確率で）、８回のラウンド遊技が行われ、且つ、大当り遊技終了後の遊技状態が「通常状態」に設定される大当り遊技（以下「８Ｒ通常当り」ともいう）が行われる。
【００４７】
これに対して、遊技状態が「通常状態」である場合に第１特図が大当り図柄５１〜１００あるいは第２特図が大当り図柄２５１〜３００で停止表示されると（大当り図柄が停止表示される場合の５０％の確率で）、８回のラウンド遊技が行われ、且つ、大当り遊技終了後の遊技状態が「ＳＴ状態」に設定される大当り遊技（以下「８Ｒ高確当り」ともいう）が行われる。
【００４８】
一方、図５（ｂ）に示すように、遊技状態が「ＳＴ状態」である場合に第１特図が大当り図柄１〜６０あるいは第２特図が大当り図柄２０１〜２６０で停止表示されると（大当り図柄が停止表示される場合の６０％の確率で）、１６回のラウンド遊技が行われ、且つ、大当り遊技終了後の遊技状態が「ＳＴ状態」に設定される大当り遊技（以下「１６Ｒ高確当り」ともいう）が行われる。
【００４９】
これに対して、遊技状態が「ＳＴ状態」である場合に第１特図が大当り図柄６１〜１００あるいは第２特図が大当り図柄２６１〜３００で停止表示されると（大当り図柄が停止表示される場合の４０％の確率で）、２回のラウンド遊技が行われ、且つ、大当り遊技終了後の遊技状態が「ＳＴ状態」に設定される大当り遊技（以下「２Ｒ高確当り」ともいう）が行われる。
【００５０】
「ＳＴ状態」は、「通常状態」よりも、大当り判定において大当りと判定される確率が高く、第２始動口２５への遊技球の入球頻度が高いので、当然ながら、「ＳＴ状態」が設定される大当り遊技が行われることを遊技者に期待させることができる。また、１回のラウンド遊技は、１０個の遊技球が入球した場合（１０カウント）または３０秒が経過した場合に終了するので、ほとんどの場合において１回のラウンド遊技では１００個（１０カウント×払出数１０個）の遊技球が払い出される。従って、当然ながら、ラウンド遊技回数の多い大当り遊技の方が、ラウンド遊技回数が少ない大当り遊技よりも遊技者に多くの遊技球が払い出されることとなる。このため、ラウンド遊技回数のより多い大当り遊技が行われることを遊技者に期待させることができる。尚、このことは、遊技者にとっての有利度合が互いに異なる複数の大当り遊技（特定遊技）を実行可能であると捉えることができる。
【００５１】
大当り遊技終了後に「通常状態」が設定された場合（８Ｒ通常当りが行われた場合）、該「通常状態」は、次に大当り遊技が開始されるまで継続して設定される。これに対して、大当り遊技終了後に「ＳＴ状態」が設定された場合（８Ｒ高確当り、１６Ｒ高確当り、２Ｒ高確当りが行われた場合）、該「ＳＴ状態」は、次に大当り遊技が行われるまで、あるいは、大当り遊技が行われることなく図柄変動遊技（特別図柄の変動表示）が２００回行われるまで継続して設定される。本明細書では、大当り遊技が行われない場合に「ＳＴ状態」が継続して設定される図柄変動遊技の回数（ここでは２００回）を「ＳＴ回数」とも表現し、「ＳＴ回数」が２００回の「ＳＴ状態」が設定されることを「２００回のＳＴ回数が設定される」とも表現する。
【００５２】
上述した大当り遊技の実行中は、セグメント表示部５０のラウンド表示部５５に実行中の大当り遊技の種類（ラウンド遊技回数）が表示される。すなわち、図４に示すように、ラウンド表示部５５には３個のＬＥＤが配置されており、このラウンド表示部５５では、３個のＬＥＤのうち左のＬＥＤを点灯することで「２Ｒ高確当り」の実行中であることを示し、中のＬＥＤを点灯することで「８Ｒ通常当り」または「８Ｒ高確当り」の実行中であることを示し、右のＬＥＤを点灯することで「１６Ｒ高確当り」の実行中であることを示す。
【００５３】
また、セグメント表示部５０には、上述した「電サポ状態（ＳＴ状態）」の設定中であることを示す電サポ表示部５８が設けられている。すなわち、図４に示すように、電サポ表示部５８には、３個のＬＥＤが配置されており、「電サポ状態（ＳＴ状態）」の設定中は、この３個のＬＥＤを点灯することによって「電サポ状態（ＳＴ状態）」の設定中であることを示す。また、図４に示すように、セグメント表示部５０には、右打ちを行うことを示す右打ち表示部５９が設けられている。「電サポ状態（ＳＴ状態）」の設定中は第２始動口２５への遊技球の入球頻度が高く、且つ、第２始動口２５は右打ちされた遊技球が入球可能であるので、「電サポ状態（ＳＴ状態）」の設定中は右打ちを行うことが遊技者にとって有益である。また、大入賞口２８も右打ちされた遊技球が入球可能であるので、大当り遊技中も右打ちを行うことが遊技者にとって有益である。そこで、「電サポ状態（ＳＴ状態）」の設定中および大当り遊技中は、右打ち表示部５９に配置された２個のＬＥＤを点灯することによって右打ちを行うことを示す。
【００５４】
＜演出表示装置４１の表示内容＞
上述したような遊技の進行は、主に主制御基板２００のＣＰＵ２０１によって行われる。本実施例のパチンコ機１では、上述したような遊技の進行に合わせて、演出表示装置４１に種々の画像を表示する演出を行う。このような演出は、主にサブ制御基板２２０のＣＰＵ２２１によって行われる。
【００５５】
例えば、演出表示装置４１では、第１特図または第２特図の変動表示（図柄変動遊技）に合わせた演出（以下「図柄変動演出」ともいう）が行われる。すなわち、特別図柄（第１特図または第２特図）の変動表示（図柄変動遊技）の開始タイミングと同期して、演出表示装置４１において３つの識別図柄４１ａ，４１ｂ，４１ｃの変動表示を開始する。その後、特別図柄の変動時間が経過するまで種々の態様で識別図柄４１ａ，４１ｂ，４１ｃの変動表示を行う。そして、特別図柄の変動表示の終了タイミング（特別図柄の停止表示）と同期して識別図柄４１ａ，４１ｂ，４１ｃの変動表示を終了する。本実施例のパチンコ機１では、識別図柄として「１」〜「９」までの９つの数字を意匠化した図柄を表示可能である。
【００５６】
図６（ａ）には、３つの識別図柄４１ａ，４１ｂ，４１ｃが一斉に変動表示している様子が概念的に示されている。変動表示が開始されてから所定時間が経過すると、例えば、初めに左識別図柄４１ａが停止表示され、次に右識別図柄４１ｃが停止表示され、最後に中識別図柄４１ｂが停止表示される。これら演出表示装置４１で停止表示される３つの識別図柄４１ａ，４１ｂ，４１ｃの組合せは、前述した第１特図表示部５１または第２特図表示部５２にて停止表示される特別図柄（第１特図または第２特図）と対応するように構成されている。例えば、第１特図または第２特図が大当り図柄で停止表示される場合は、演出表示装置４１の３つの識別図柄４１ａ，４１ｂ，４１ｃが同じ図柄となる図柄組合せ（以下「ゾロ目」ともいう）で停止表示される。また、第１特図または第２特図が外れ図柄で停止表示される場合は、３つの識別図柄４１ａ，４１ｂ，４１ｃは同じ図柄で揃わない図柄組合せ（以下「バラケ目」ともいう）で停止表示される。尚、停止表示された識別図柄４１ａ，４１ｂ，４１ｃは、特別図柄の確定表示時間が経過するまで停止表示された状態となる（確定表示される）。
【００５７】
このように、第１特図表示部５１または第２特図表示部５２で表示される特別図柄と、演出表示装置４１で表示される３つの識別図柄４１ａ，４１ｂ，４１ｃとは、表示内容が互いに対応しており、変動表示中の特別図柄が停止表示する際には、３つの識別図柄４１ａ，４１ｂ，４１ｃも停止表示するようになっている。しかも、図２に示すように、演出表示装置４１は、第１特図表示部５１または第２特図表示部５２（セグメント表示部５０）よりも目に付き易い位置に設けられており、表示画面も大きく、表示内容も分かり易いので、遊技者は演出表示装置４１の画面を見ながら遊技を行うことが通常である。従って、図６（ｂ）に示すように、演出表示装置４１の表示画面上で初めに停止表示される左識別図柄４１ａと、続いて停止表示される右識別図柄４１ｃとが同じ図柄であった場合には、最後に停止表示される中識別図柄４１ｂも同じ図柄で停止して、「大当り遊技が開始されるのではないか」と、遊技者は識別図柄の変動表示（図柄変動演出）を注視することになる。このように、２つの識別図柄（複数の識別図柄のうち一の識別図柄を除いた識別図柄）を同じ図柄（ゾロ目となり得る態様）で停止させて最後の識別図柄（一の識別図柄）を変動表示させた状態で行われる演出は「リーチ演出」と呼ばれており、このリーチ演出を発生させることで遊技興趣を高めることが可能である。
【００５８】
また、演出表示装置４１の表示画面上の下部には、第１特図保留数を示すための第１保留表示領域４１ｄと、第２特図保留数を示すための第２保留表示領域４１ｅとが設定されている。本実施例のパチンコ機１では、第１保留表示領域４１ｄに第１特図保留数と同数の「保留図柄（図中、小さい円形の図柄）」を表示することで第１特図保留数（上限数は４個）を示し、第２保留表示領域４１ｅに第２特図保留数（上限数は４個）と同数の「保留図柄」を表示することで第２特図保留数を示す。従って、図６に示す例では、第１特図保留数が４個であり、第２特図保留数が４個であることが示されている。尚、当然ながら、演出表示装置４１の表示画面上に表示された保留図柄によって示される保留数と、セグメント表示部５０の第１特図保留表示部５３および第２特図保留表示部５４にて示される保留数とは一致する。
【００５９】
Ｃ．遊技制御処理  ：
図７は、主制御基板２００のＣＰＵ２０１が、遊技の進行に係る制御として行う遊技制御処理の大まかな流れを示したフローチャートである。遊技制御処理は、主制御基板２００のＣＰＵ２０１によって、所定周期毎（例えば４ｍ秒毎）に発生するタイマ割り込みに基づき行われる。以下、フローチャートに従って、主制御基板２００のＣＰＵ２０１が行う遊技進行制御処理について説明する。尚、以下の説明では、ＣＰＵ２０１の初期化処理や、割り込み禁止処理、割り込み許可処理などの周知の処理については、その説明を省略している。
【００６０】
＜出力処理＞
図７に示すように、主制御基板２００のＣＰＵ２０１は遊技制御処理を開始すると先ず、出力処理（Ｓ１００）を行う。本実施例のパチンコ機１では、後述する各種処理において、サブ制御基板２２０を初めとする各種制御基板に向けて送信する各種コマンドをＲＡＭ２０３に確保された出力バッファに記憶する。出力処理（Ｓ１００）では、このように出力バッファに記憶された各種コマンドを各種制御基板に向けて送信する。こうすることにより、例えば、サブ制御基板２２０では、遊技の進行に合わせた演出の制御が行われることになり、払出制御基板２４０では、払出モーター２４３を駆動して遊技球の払い出しが行われることとなる。
【００６１】
＜入力処理＞
主制御基板２００のＣＰＵ２０１は、続いて、入力処理（Ｓ２００）を行う。本実施例のパチンコ機１では上述したように、第１始動口２４、第２始動口２５、一般入球口３０の何れかに遊技球が入球した場合は３個の遊技球が払い出され、大入賞口２８に遊技球が入球した場合は１０個の遊技球が払い出される。そこで、入力処理（Ｓ２００）の処理では、これらの入球を検知するセンサー類（第１始動口センサー２４ｓや、第２始動口センサー２５ｓ、大入賞口センサー２８ｓ等）について、遊技球を検知したか否かを判断する。その結果、遊技球を検知している場合は、払い出す遊技球の数を示す払出コマンドを上述した出力バッファに記憶する。こうして出力バッファに記憶された払出コマンドは次回の出力処理（Ｓ１００）で払出制御基板２４０に向けて送信される。
【００６２】
＜乱数更新処理＞
主制御基板２００のＣＰＵ２０１は、続いて、乱数更新処理（Ｓ３００）を行う。本実施例のパチンコ機１では上述したように、大当り判定や普図当り判定は所定の判定乱数に基づいて行われる。詳しくは、大当り判定は「大当り判定乱数」に基づいて行われ、普図当り判定は「普図当り判定乱数」に基づいて行われる。また、本実施例のパチンコ機１における特別図柄の変動表示は後述する変動パターンに基づいて行われるが、この変動パターンは「変動パターン選択乱数」に基づいて選択される。また、本実施例のパチンコ機１では、大当り判定結果が大当りである場合は、１００種類の大当り図柄（大当り図柄１〜１００あるいは大当り図柄２０１〜３００）のうち何れかの大当り図柄が停止表示されるが、この大当り図柄の種類は「図柄選択乱数」に基づいて選択される。乱数更新処理（Ｓ３００）では、これらの乱数を更新する。尚、これらの乱数の更新は、乱数更新処理（Ｓ３００）においてだけでなく、遊技制御処理を終了してから次の遊技制御処理を開始する（次のタイマ割り込み）までの期間にも行うこととしてもよい。また、乱数更新の専用回路を設けて、この専用回路で乱数を更新することとしてもよい。
【００６３】
＜始動口等センサー検出処理＞
主制御基板２００のＣＰＵ２０１は、続いて、始動口等センサー検出処理（Ｓ４００）を行う。この始動口等センサー検出処理（Ｓ４００）では、普図保留、第１特図保留、第２特図保留を記憶する処理が行われる。すなわち、主制御基板２００のＣＰＵ２０１は先ず、ゲートセンサー２７ｓの検知結果に基づいて、遊技球が普通図柄作動ゲート２７を通過したか否かを判断する。その結果、遊技球が普通図柄作動ゲート２７を通過した場合は、普図保留数が上限値である４個に達しているか否かを判断する。そして、普図保留数が４個に達していなければ、普図当り判定乱数を取得すると共に該普図当り判定乱数を普図保留として記憶する。普図保留は、記憶した順序を識別できるように、ＲＡＭ２０３に確保された普図保留記憶領域に記憶される。尚、遊技球が普通図柄作動ゲート２７を通過していなかった場合や、普図保留数が既に４個に達していた場合は、新たな普図保留は記憶しない。
【００６４】
こうして普図保留の記憶に係る処理を行ったら、続いて、第１始動口センサー２４ｓの検知結果に基づいて、遊技球が第１始動口２４に入球したか否かを判断する。その結果、遊技球が第１始動口２４に入球した場合は、第１特図保留数が上限値である４個に達しているか否かを判断する。そして、第１特図保留数が４個に達していなければ、大当り判定乱数、変動パターン選択乱数、図柄選択乱数を取得すると共にこれらの乱数を第１特図保留として記憶する。第１特図保留は、記憶した順序を識別できるように、ＲＡＭ２０３に確保された第１特図保留記憶領域に記憶される。
【００６５】
ここで、第１特図の変動表示（図柄変動遊技）は、第１特図保留として取得された大当り判定乱数、変動パターン選択乱数、図柄選択乱数に基づいて行われる。また、第１特図の変動表示に合わせて行われる演出（図柄変動演出）も、第１特図保留として取得された大当り判定乱数、変動パターン選択乱数、図柄選択乱数に基づいて行われる。従って、第１特図保留を記憶した場合は、未だ該第１特図保留に基づく変動表示が開始されていなくても（変動開始条件が成立していなくても）、該第１特図保留に基づく変動表示や演出（第１特図保留に基づく図柄変動遊技や図柄変動演出）の態様を判定することが可能である。例えば、第１特図保留に基づく変動表示が行われる前であっても、該第１特図保留に基づく変動表示が行われた場合に大当り図柄が停止表示されるか否か（大当り遊技が開始されるか否か）や、リーチ演出が行われるか否か等を判定することが可能である。このような判定は事前判定と称されるものであって、本実施例のパチンコ機１では、第１特図保留を記憶すると、該第１特図保留について事前判定を行い、該事前判定結果を該第１特図保留と対応付けて記憶する。こうして、第１特図保留を記憶すると共に該第１特図保留についての事前判定結果を記憶したら、この事前判定結果を示す事前判定結果コマンドをＲＡＭ２０３の出力バッファに記憶する。こうして出力バッファに記憶された事前判定結果コマンドは次回の出力処理（Ｓ１００）でサブ制御基板２２０に向けて送信される。こうすることによって、サブ制御基板２２０は、第１特図保留の事前判定結果に基づいて種々の演出を実行することが可能となる。尚、遊技球が第１始動口２４に入球していなかった場合や、第１特図保留数が既に４個に達していた場合は、新たな第１特図保留は記憶せず、事前判定も行わない。
【００６６】
こうして第１特図保留の記憶に係る処理を行ったら、続いて、第２始動口センサー２５ｓの検知結果に基づいて、遊技球が第２始動口２５に入球したか否かを判断する。その結果、遊技球が第２始動口２５に入球した場合は、第２特図保留数が上限値である４個に達しているか否かを判断する。そして、第２特図保留数が４個に達していなければ、大当り判定乱数、変動パターン選択乱数、図柄選択乱数を取得すると共にこれらの乱数を第２特図保留として記憶する。第２特図保留は、記憶した順序を識別できるように、ＲＡＭ２０３に確保された第２特図保留記憶領域に記憶される。こうして第２特図保留を記憶したら、該第２特図保留についても上述と同様の事前判定を行い、該事前判定結果を該第２特図保留と対応付けて記憶する。こうして、第２特図保留を記憶すると共に該第２特図保留についての事前判定結果を記憶したら、この事前判定結果を示す事前判定結果コマンドをＲＡＭ２０３の出力バッファに記憶する。こうして出力バッファに記憶された事前判定結果コマンドも次回の出力処理（Ｓ１００）でサブ制御基板２２０に向けて送信される。こうすることによって、サブ制御基板２２０は、第２特図保留の事前判定結果に基づいて種々の演出を実行することが可能となる。尚、遊技球が第２始動口２５に入球していなかった場合や、第２特図保留数が既に４個に達していた場合は、新たな第２特図保留は記憶せず、事前判定も行わない。
【００６７】
＜普通動作処理＞
主制御基板２００のＣＰＵ２０１は、続いて、普通動作処理（Ｓ５００）を行う。この普通動作処理（Ｓ５００）では、普通図柄を変動表示させたり、普図当り遊技を実行したりする処理が行われる。すなわち、主制御基板２００のＣＰＵ２０１は先ず、普図当り遊技中、普通図柄の変動表示中、普通図柄の確定表示中の何れかであるか否かを判断する。その結果、普図当り遊技中、普通図柄の変動表示中、普通図柄の確定表示中の何れでもない場合は、上述の普図保留記憶領域に普図保留が記憶されているか否かを判断する。その結果、普図保留記憶領域に普図保留が記憶されている場合は、記憶されている普図保留のうち最先に記憶された普図保留を読み出す。そして、読み出した普図保留、すなわち、普図当り判定乱数に基づいて普図当り判定を行う。
【００６８】
普図当り判定を行ったら、該普図当り判定の結果が普図当りであるか否かを判断する。その結果、普図当り判定の結果が普図当りである場合は、今回の普通図柄の変動表示にて停止表示する図柄（停止図柄）として普図当り図柄を記憶する。すなわち、今回の普通図柄の変動表示の結果として普図表示部５６の左のＬＥＤ（図４参照）を点灯させることを記憶する。これに対して、普図当り判定の結果が普図外れである場合は、今回の普通図柄の変動表示にて停止表示する図柄（停止図柄）として普図外れ図柄を記憶する。すなわち、今回の普通図柄の変動表示の結果として普図表示部５６の右のＬＥＤ（図４参照）を点灯させることを記憶する。
【００６９】
こうして、今回の普通図柄の変動表示の結果として普図表示部５６の左のＬＥＤを点灯させること、あるいは、普図表示部５６の右のＬＥＤを点灯させることを記憶したら、普通図柄の変動時間を設定して、普通図柄の変動表示を開始する。そして、今回の普図当り判定の対象となった普図保留を普図保留記憶領域から消去する。
【００７０】
以上は、普図当り遊技中、普通図柄の変動表示中、普通図柄の確定表示中の何れでもない場合の処理について説明した。これに対して、普通図柄の変動表示中である場合は、変動表示中の普通図柄の変動時間が経過したか否かを判断する。その結果、変動時間が経過したと判断された場合は、変動表示中の普通図柄を予め記憶しておいた態様で停止表示する。すなわち、普図当り判定の結果が普図当りであった場合は普図表示部５６の左のＬＥＤを点灯した状態とし（普図当り図柄を停止表示し）、普図当り判定の結果が外れであった場合は普図表示部５６の右のＬＥＤを点灯した状態とする（外れ図柄を停止表示する）。このように普通図柄が停止表示されたら、普通図柄の確定表示が開始されるので、普通図柄の確定表示時間を設定する。
【００７１】
以上は、普通図柄の変動表示中である場合の処理について説明した。これに対して、普通図柄の確定表示中である場合は、確定表示時間が経過したか否かを判断する。その結果、確定表示時間が経過した場合は、今回停止表示（確定表示）された普通図柄が普図当り図柄（普図表示部５６の左のＬＥＤの点灯）であるか否かを判断する。その結果、停止表示された普通図柄が普図当り図柄であった場合は、普図当り遊技における第２始動口２５の開放パターン（開放回数、開放時間、閉鎖時間など）を設定した後、普図当り遊技を開始する。
【００７２】
以上は、普通図柄の確定表示中である場合の処理について説明した。これに対して、普図当り遊技中である場合は、上述の開放パターンで第２始動口２５が開放状態・閉鎖状態となるように、始動口ソレノイド２６ｍを制御して開閉扉２６を動作させる。そして、この開放パターンに従う制御が終了したら普図当り遊技を終了する。
【００７３】
ここで、図６を用いて前述したように、本実施例のパチンコ機１では、第２始動口２５への遊技球の入球頻度に係る遊技状態が「第２始動口２５への遊技球の入球頻度が低い非電サポ状態（通常状態）」または「第２始動口２５への遊技球の入球頻度が高い電サポ状態（ＳＴ状態）」に設定される。このような非電サポ状態（通常状態）および電サポ状態（ＳＴ状態）の設定は次のように実現される。
【００７４】
すなわち、電サポ状態（ＳＴ状態）は非電サポ状態（通常状態）と比較して、普図当り判定の結果が普図当りとなる確率（普図当り確率）が高く、普通図柄の変動時間（普図変動時間）が短く、普図当り遊技における第２始動口２５の開放時間が長く設定される。従って、電サポ状態（ＳＴ状態）は非電サポ状態（通常状態）と比較して、第２始動口２５が高頻度で開放状態になるとともに該開放状態にある期間が長くなるので、第２始動口２５への遊技球の入球頻度が高くなる（高頻度状態）。例えば、非電サポ状態（通常状態）が設定されている場合は、普図当り確率を１００分の１の確率に設定し（普図保留として取得可能な普図当り判定乱数のうち１００分の１の乱数を普図当りとし）、普図変動時間を２０秒に設定し、普図当り遊技における第２始動口２５の開放時間を０．３秒（０．１秒×３回開放）に設定する。これに対して、電サポ状態（ＳＴ状態）が設定されている場合は、普図当り確率を１００分の９９の確率に設定し（普図保留として取得可能な普図当り判定乱数のうち１００分の９９の乱数を普図当りとし）、普図変動時間を１秒に設定し、普図当り遊技における第２始動口２５の開放時間を４．５秒（１．５秒×３回開放）に設定する。
【００７５】
＜特別動作処理＞
主制御基板２００のＣＰＵ２０１は、続いて、特別動作処理（Ｓ６００）を行う。この特別動作処理（Ｓ６００）では、特別図柄（第１特図または第２特図）を変動表示させたり、大当り遊技を実行したりする処理が行われる。すなわち、主制御基板２００のＣＰＵ２０１は先ず、大当り遊技中、特別図柄（第１特図または第２特図）の変動表示中、特別図柄（第１特図または第２特図）の確定表示中の何れかであるか否かを判断する。その結果、大当り遊技中、特別図柄の変動表示中、特別図柄の確定表示中の何れでもない場合は、第２特図保留記憶領域に第２特図保留が記憶されているか否かを判断する。その結果、第２特図保留記憶領域に第２特図保留が記憶されている場合は、記憶されている第２特図保留のうち最先に記憶された第２特図保留（大当り判定乱数、変動パターン選択乱数、図柄選択乱数）を読み出す。そして、読み出した第２特図保留に含まれる大当り判定乱数に基づいて大当り判定を行う。
【００７６】
これに対して、第２特図保留記憶領域に第２特図保留が記憶されていない場合は、今度は、第１特図保留記憶領域に第１特図保留が記憶されているか否かを判断する。その結果、第１特図保留記憶領域に第１特図保留が記憶されている場合は、記憶されている第１特図保留のうち最先に記憶された第１特図保留（大当り判定乱数、図柄選択乱数、変動パターン選択乱数）を読み出す。そして、読み出した第１特図保留に含まれる大当り判定乱数に基づいて大当り判定を行う。
【００７７】
ここで、図６を用いて前述したように、本実施例のパチンコ機１では、大当り判定において大当りと判定される確率に係る遊技状態は「大当り判定において大当りと判定される確率が低い（３００分の１の確率である）低確率状態（通常状態）」または「大当り判定において大当りと判定される確率が高い（１５０分の１の確率である）高確率状態（ＳＴ状態）」に設定される。このような低確率状態（通常状態）あるいは高確率状態（ＳＴ状態）の設定は次のように実現される。すなわち、低確率状態（通常状態）が設定されている場合は、第１特図保留または第２特図保留として取得可能な大当り判定乱数のうち３００分の１の乱数を大当りとし、高確率状態（ＳＴ状態）が設定されている場合は、第１特図保留または第２特図保留として取得可能な大当り判定乱数のうち１５０分の１の乱数を大当りとする。
【００７８】
こうして第１特図保留または第２特図保留について大当り判定を行ったら、該大当り判定の結果が大当りであるか否かを判断する。その結果、大当り判定の結果が大当りである場合は、今回読み出した第１特図保留または第２特図保留に含まれる図柄選択乱数に基づいて、今回の特別図柄の変動表示（図柄変動遊技）にて停止表示する大当り図柄の種類を選択する。すなわち、図５を用いて前述したように、本実施例のパチンコ機１では、第１特図としては大当り図柄１〜１００が停止表示可能であり、第２特図としては大当り図柄２０１〜３００が停止表示可能である。そこで、第１特図保留を読み出した場合は、大当り図柄１〜１００に図柄選択乱数が割り振られた図柄選択テーブル（図示省略）を参照して、第１特図保留として読み出した図柄選択乱数に対応する大当り図柄を、停止表示する図柄として選択する。また、第２特図保留を読み出した場合は、大当り図柄２０１〜３００に図柄選択乱数が割り振られた図柄選択テーブルを参照して、第２特図保留として読み出した図柄選択乱数に対応する大当り図柄を、停止表示する図柄として選択する。尚、図柄選択テーブルは、主制御基板２００のＲＯＭ２０２に予め記憶されている。
【００７９】
一方、大当り判定の結果が外れである場合においては、第１特図保留を読み出した場合は外れ図柄１０１を停止表示する図柄として選択し、第２特図保留を読み出した場合は外れ図柄３０１を停止表示する図柄として選択する。尚、停止表示する図柄として選択された大当り図柄、外れ図柄は、ＲＡＭ２０３に確保された停止図柄記憶領域に記憶される。
【００８０】
こうして停止表示する図柄を選択したら、特別図柄の変動表示（図柄変動遊技）の変動パターンを選択する。変動パターンとは、特別図柄（第１特図または第２特図）が変動表示を開始してから停止表示するまでの時間（変動時間）であり、各変動パターンには他の変動パターンと識別するための情報（変動パターンＩＤ）が付されている。変動パターンを選択する処理では変動パターン選択テーブルを参照する。変動パターン選択テーブルとは、図８に示すように、複数の変動パターン（変動パターンＩＤ、変動時間）に変動パターン選択乱数が割り振られたテーブルである。変動パターンを選択する処理では、このような変動パターン選択テーブルにおいて、今回第１特図保留または第２特図保留として読み出した変動パターン選択乱数に対応する変動パターンを、今回の変動パターンとして決定する。従って、各変動パターンが選択される確率は、取得可能な変動パターン選択乱数のうち各変動パターンに割り振られた乱数の割合によって決定される。
【００８１】
このように選択された変動パターンは後述の変動パターン指定コマンドとして、サブ制御基板２２０に向けて送信される。サブ制御基板２２０のＣＰＵ２２１は、変動パターン指定コマンドを受信すると、該変動パターン指定コマンドに基づいて今回の図柄変動遊技の変動パターンを認識し、該変動パターンに基づく演出パターンで図柄変動演出を実行する。
【００８２】
上述した変動パターンを選択する処理では、常時同じ変動パターン選択テーブルを参照するのではなく、図９に示すように、特別図柄の種類（第１特図または第２特図）や、現在設定されている遊技状態、大当り判定の結果、記憶されている第１特図保留および第２特図保留の数などの種々の遊技進行状況に対応する変動パターン選択テーブルを参照する。こうすることで、種々の遊技進行状況に対応する変動パターンを選択可能となり、ひいては、サブ制御基板２２０のＣＰＵ２２１は種々の遊技進行状況に対応する演出パターンで図柄変動演出を実行可能となる。例えば、サブ制御基板２２０のＣＰＵ２２１は、大当り判定の結果が大当りである場合は、リーチ演出の後に識別図柄４１ａ，４１ｂ，４１ｃをゾロ目で停止表示する図柄変動演出を実行し、大当り判定の結果が外れである場合は、識別図柄４１ａ，４１ｂ，４１ｃをバラケ目で停止表示する図柄変動演出を実行する。また、大当り判定の結果が外れである場合において所定の変動パターンが選択された場合はリーチ演出を行う。尚、各変動パターン選択テーブルは、主制御基板２００のＲＯＭ２０２に予め記憶されている。
【００８３】
こうして、今回の特別図柄の変動表示にて停止表示させる図柄を選択すると共に、今回の特別図柄の変動表示の変動パターンを選択したら、特別図柄の変動表示を開始する。そして、今回選択された変動パターンを示す変動パターン指定コマンドをＲＡＭ２０３の出力バッファに記憶する。このように出力バッファに記憶された変動パターン指定コマンドは、次回の出力処理（Ｓ１００）でサブ制御基板２２０に向けて送信される。また、今回の大当り判定の対象となった第１特図保留または第２特図保留を、第１特図保留記憶領域または第２特図保留記憶領域から消去する。
【００８４】
以上は、大当り遊技中、特別図柄（第１特図または第２特図）の変動表示中、特別図柄の確定表示中の何れでもない場合の処理について説明した。これに対して、特別図柄の変動表示中である場合は、変動表示中の特別図柄の変動時間が経過したか否かを判断する。その結果、変動時間が経過したと判断された場合は、変動表示中の特別図柄を予め停止図柄記憶領域に記憶しておいた図柄で停止表示する（確定表示を開始する）。このように特別図柄が停止表示されたら、特別図柄の確定表示が開始されるので、特別図柄の確定表示時間を設定する。そして、特別図柄を停止表示したことを示す変動停止コマンドをＲＡＭ２０３の出力バッファに記憶する。このように出力バッファに記憶された変動停止コマンドは、次回の出力処理（Ｓ１００）でサブ制御基板２２０に向けて送信される。
【００８５】
特別図柄の確定表示中である場合は、確定表示時間が経過したか否かを判断する。その結果、確定表示時間が経過した場合は、今回停止表示（確定表示）された特別図柄が大当り図柄であるか否かを判断する。その結果、停止表示された特別図柄が外れ図柄であった場合は、「ＳＴ状態」が設定されているか否かを判断し、「ＳＴ状態」が設定されている場合は「残りＳＴ回数」を１回減算する。「残りＳＴ回数」とは、（大当り遊技が途中で行われなければ）「ＳＴ状態」が終了するまでに実行可能な図柄変動遊技（特別図柄の変動表示）の回数（以下「残りＳＴ回数」ともいう）である。「残りＳＴ回数」を１回減算した結果、「残りＳＴ回数」が０回になったら、「ＳＴ状態」に代えて「通常状態」を設定する。このように遊技状態を設定した場合は、設定された遊技状態を示す遊技状態指定コマンドをＲＡＭ２０３の出力バッファに記憶する。このように出力バッファに記憶された遊技状態指定コマンドは、次回の出力処理（Ｓ１００）でサブ制御基板２２０に向けて送信される。
【００８６】
これに対して、停止表示された特別図柄が大当り図柄であった場合は、大当り遊技における大入賞口２８の開放パターン（開放回数、開放時間、閉鎖時間など）を設定する。図５を用いて前述したように、本実施例のパチンコ機１では、停止表示された大当り図柄の種類によって大当り遊技中のラウンド遊技の回数が異なる。従って、停止表示された大当り図柄の種類に対応して大入賞口２８の開放パターンを設定する。こうして大入賞口２８の開放パターンを設定したら、大当り遊技を開始する。そして、大当り遊技の開始を示す大当り遊技開始コマンドをＲＡＭ２０３の出力バッファに記憶する。この大当り遊技開始コマンドには、今回開始する大当り遊技におけるラウンド遊技回数を示す情報も含まれている。出力バッファに記憶された大当り遊技開始コマンドは、次回の出力処理（Ｓ１００）でサブ制御基板２２０に向けて送信される。
【００８７】
一方、大当り遊技中である場合は、上述の開放パターンで大入賞口２８が開放状態・閉鎖状態となるように、大入賞口ソレノイド２９ｍを制御して開閉扉２９を動作させる。そして、ラウンド遊技の開始時には、ラウンド遊技の開始を示すラウンド遊技開始コマンドをＲＡＭ２０３の出力バッファに記憶し、ラウンド遊技の終了時には、ラウンド遊技の終了を示すラウンド遊技終了コマンドをＲＡＭ２０３の出力バッファに記憶する。また、大当り遊技中である場合は、大入賞口２８に遊技球が入球すると、大入賞口２８に遊技球が入球したことを示す大入賞口入球コマンドをＲＡＭ２０３の出力バッファに記憶する。このように出力バッファに記憶されたラウンド遊技開始コマンド、ラウンド遊技終了コマンド、大入賞口入球コマンドは、次回の出力処理（Ｓ１００）でサブ制御基板２２０に向けて送信される。
【００８８】
また、上述の開放パターンに従う大入賞口ソレノイド２９ｍの制御（開閉扉２９の動作）が終了したら大当り遊技を終了する。そして、大当り遊技の終了を示す大当り遊技終了コマンドをＲＡＭ２０３の出力バッファに記憶される。このように出力バッファに記憶された大当り遊技終了コマンドは、次回の出力処理（Ｓ１００）でサブ制御基板２２０に向けて送信される。大当り遊技を終了したら、該大当り遊技が「８Ｒ通常当り」であれば、遊技状態を「通常状態」に設定する。これに対して、該大当り遊技が「８Ｒ高確当り」、「１６Ｒ高確当り」、「２Ｒ高確当り」の何れかであれば、遊技状態を「ＳＴ状態」に設定する。このとき、「残りＳＴ回数」は２００回に設定される。このように遊技状態を設定した場合は、設定された遊技状態（残りＳＴ回数も含む）を示す遊技状態指定コマンドをＲＡＭ２０３の出力バッファに記憶する。このように出力バッファに記憶された遊技状態指定コマンドは、次回の出力処理（Ｓ１００）でサブ制御基板２２０に向けて送信される。
【００８９】
尚、第１特図保留および第２特図保留は「取得情報」として捉えることもでき、第１特図保留および第２特図保留を記憶するＲＡＭ２０３は「取得情報記憶手段」として捉えることもできる。また、第１特図保留または第２特図保留が所定の情報であるか否かの事前判定を行う主制御基板２００のＣＰＵ２０１は「事前判定手段」として捉えることもできる。また、特別図柄は「識別情報」として捉えることもでき、特別図柄を変動表示させる主制御基板２００のＣＰＵ２０１は「識別情報表示手段」として捉えることもでき、大当り図柄は「特定態様」として捉えることもできる。また、大入賞口２８は「可変入球口」として捉えることもでき、大当り遊技は「特定遊技」として捉えることもでき、特別図柄（識別情報）が大当り図柄（特定態様）で停止表示すると（所定の付与条件が成立すると）大当り遊技を実行する（遊技者に特典を付与する）主制御基板２００のＣＰＵ２０１は、「特定遊技実行手段」、「特典付与手段」として捉えることもできる。また、「電サポ状態」、「高確率状態」、「ＳＴ状態」は「有利状態」として捉えることもでき、遊技状態として「電サポ状態」、「高確率状態」、「ＳＴ状態」を設定可能な主制御基板２００のＣＰＵ２０１は「有利状態設定手段」として捉えることもできる。
【００９０】
＜保留数処理＞
主制御基板２００のＣＰＵ２０１は、続いて、保留数処理（Ｓ７００）を行う。この保留数処理（Ｓ７００）では、第１特図保留記憶領域に記憶されている第１特図保留の数、および、第２特図保留記憶領域に記憶されている第２特図保留の数を読み出して、これらの数を示す保留数伝達コマンドをＲＡＭ２０３の出力バッファに記憶する。こうして出力バッファに記憶された保留数伝達コマンドも次回の出力処理（Ｓ１００）でサブ制御基板２２０に向けて送信される。こうすることによって、サブ制御基板２２０は、第１特図保留の数や第２特図保留の数に対応する保留図柄を演出表示装置４１に表示する等、これらの数に基づいて種々の演出を実行することが可能となる。
【００９１】
Ｄ．演出制御処理  ：
図１０は、サブ制御基板２２０のＣＰＵ２２１が、演出に係る制御として行う演出制御処理の大まかな流れを示したフローチャートである。演出制御処理は、サブ制御基板２２０のＣＰＵ２２１によって、所定周期毎（例えば１０ｍ秒毎）に発生するタイマ割り込みに基づき行われる。以下、フローチャートに従って、サブ制御基板２２０のＣＰＵ２２１が行う演出制御処理について説明する。尚、以下の説明では、ＣＰＵ２２１の初期化処理や、割り込み禁止処理、割り込み許可処理などの周知の処理については、その説明を省略している。
【００９２】
演出制御処理を開始すると、サブ制御基板２２０のＣＰＵ２２１は先ず、コマンド解析処理を行う（Ｓ８００）。ここで、サブ制御基板２２０のＣＰＵ２２１は、主制御基板２００からコマンドを受信するたびに、外部割り込み処理として、このコマンドをＲＡＭ２２３の受信コマンド記憶領域に記憶している。コマンド解析処理（Ｓ８００）では、この受信コマンド記憶領域に記憶されたコマンド、すなわち、主制御基板２００から受信したコマンドに対応する演出を決定し、この演出を行うために画像音声制御基板２３０やランプ制御基板２２６等に送信するコマンドをＲＡＭ２２３に確保された出力バッファに記憶する。
【００９３】
サブ制御基板２２０のＣＰＵ２２１は、続いて、出力処理を行う（Ｓ９００）。この処理では、ＲＡＭ２２３の出力バッファに記憶されたコマンドを画像音声制御基板２３０やランプ制御基板２２６等に送信する。サブ制御基板２２０からコマンドを受信すると、画像音声制御基板２３０は、受信したコマンドに対応する画像を演出表示装置４１に表示すると共に、受信したコマンドに対応する音声を各種スピーカー６ａ，６ｂ等から出力する。また、ランプ制御基板２２６は、受信したコマンドに対応する発光パターンで各種ランプ５ａ〜５ｃ等を発光させる。
【００９４】
以上のように、サブ制御基板２２０は、画像音声制御基板２３０やランプ制御基板２２６等と協働して各種演出を実行するが、本明細書では説明の便宜上、サブ制御基板２２０が画像音声制御基板２３０やランプ制御基板２２６等と協働して各種演出を実行することを、単に、「サブ制御基板２２０のＣＰＵ２２１が各種演出を実行する」とも表現する。
【００９５】
図１１には、主制御基板２００から受信したコマンドに対応して、サブ制御基板２２０のＣＰＵ２２１が行う処理を示している。図１１に示すように、サブ制御基板２２０のＣＰＵ２２１は、事前判定結果コマンドを受信した場合は、事前判定結果に基づく演出である事前演出を行う。例えば、事前判定結果に対応するキャラクター等の画像を演出表示装置４１に表示させたり、演出表示装置４１の第１保留表示領域４１ｄや第２保留表示領域４１ｆに表示する保留図柄の態様を事前判定結果に対応する態様としたりする。尚、事前判定演出は、事前判定結果コマンドを受信した場合において、常時行う必要はなく、所定の条件が成立したら（例えば所定の実行抽選に当選したら）行うこととしてもよい。
【００９６】
また、サブ制御基板２２０のＣＰＵ２２１は、保留数伝達コマンドを受信すると、このコマンドによって示される第１特図保留数および第２特図保留数と同数の保留図柄を、演出表示装置４１の第１保留表示領域４１ｄや第２保留表示領域４１ｆに表示する。尚、第１特図保留数および第２特図保留数の両方を常時表示する必要はなく、例えば、左打ちが行われる「通常状態」、すなわち、第１特図主体の遊技が行われる状態においては、第１特図保留数を表示し、右打ちが行われる「ＳＴ状態」、すなわち、第２特図主体の遊技が行われる状態においては、第２特図保留数を表示することとしてもよい。
【００９７】
また、サブ制御基板２２０のＣＰＵ２２１は、変動パターン指定コマンドを受信すると、特別図柄（第１特図または第２特図）の変動表示に合わせて、変動パターン指定コマンドが示す変動パターンに対応する図柄変動演出（識別図柄４１ａ，４１ｂ，４１ｃの変動表示を含む）を開始する。図柄変動演出は、変動パターンに対応して行われるので、図柄変動演出の一環として行われるリーチ演出（図６（ｂ）参照）も、対応する変動パターンが選択された場合に行われる。詳しくは、大当り判定の結果が大当りである場合にリーチ演出に対応する変動パターンが選択されると、リーチ演出が行われた後、識別図柄４１ａ，４１ｂ，４１ｃがゾロ目で停止表示する図柄変動演出が行われる。また、大当り判定の結果が外れである場合にリーチ演出に対応する変動パターンが選択されると、リーチ演出が行われた後、識別図柄４１ａ，４１ｂ，４１ｃがバラケ目で停止表示する図柄変動演出が行われる。そして、図柄変動演出の実行中に変動停止コマンドを受信すると、サブ制御基板２２０のＣＰＵ２２１は、識別図柄４１ａ，４１ｂ，４１ｃをゾロ目またはバラケ目で停止表示する。
【００９８】
また、図１１に示すように、サブ制御基板２２０のＣＰＵ２２１は、大当り遊技開始コマンドを受信すると、大当り遊技中であることを示す大当り遊技演出を開始する。例えば、大当り遊技が開始されるタイミングで、大当り遊技の開始を示すファンファーレ演出を実行すると共に、大当り遊技中であることを示す動画（いわゆるムービー）の表示を開始する。
【００９９】
また、サブ制御基板２２０のＣＰＵ２２１は、大当り遊技中にラウンド遊技開始コマンドを受信すると、ラウンド遊技中であることを示すラウンド遊技演出を（例えば、大当り遊技演出に重ねて）開始する。例えば、実行中の大当り遊技におけるラウンド遊技の回数を示す演出（例えば、１Ｒ，２Ｒ，３Ｒ・・・を表示する演出など）を開始する。そして、ラウンド遊技終了コマンドを受信すると、ラウンド遊技演出を終了し、大当り遊技終了コマンドを受信すると、大当り遊技演出を終了する。
【０１００】
また、サブ制御基板２２０のＣＰＵ２２１は、大入賞口入球コマンドを受信すると、遊技球が大入賞口２８に入球したことに対応する演出を実行する。例えば、後述するＳＴ表示演出の一部を実行する。
【０１０１】
また、サブ制御基板２２０のＣＰＵ２２１は、遊技状態指定コマンドを受信すると、設定された遊技状態に対応する演出を開始する。例えば、識別図柄４１ａ，４１ｂ，４１ｃやその背景画像を遊技状態に対応する態様（色彩や形状など）とする演出を実行したり、「ＳＴ状態」が設定された場合は「残りＳＴ回数」を表示する演出を開始したりする。「残りＳＴ回数」を表示する演出では、当然ながら、「ＳＴ状態」の設定中に１回の図柄変動遊技（特別図柄の変動表示）が行われると、表示される「残りＳＴ回数」も１回減算される。
【０１０２】
Ｅ．ＳＴ表示演出  ：
ここで、本実施例のパチンコ機１では、上述した大当り遊技演出の一環として、「ＳＴ表示演出」を行うことがある。ＳＴ表示演出とは、大当り遊技の実行中に「当該大当り遊技の終了後に設定されるＳＴ回数（残りＳＴ回数）」に係る情報を表示する演出である。
【０１０３】
本実施例のパチンコ機１では、このようなＳＴ表示演出として、２Ｒ高確当りの実行中に「２Ｒ高確当りの終了後に設定されるＳＴ回数（残りＳＴ回数）」に係る情報を表示する演出を行う。すなわち、本実施例のパチンコ機１では、２Ｒ高確当りの終了後に２００回のＳＴ回数が設定されることから、この２００回に係る情報を表示する。
【０１０４】
＜＜２Ｒ高確当り開始時の処理＞＞
図１２および図１３には、ＳＴ表示演出を実行するための「ＳＴ表示演出処理」のフローチャートが示されている。ＳＴ表示演出処理は、サブ制御基板２２０のＣＰＵ２２１によって、演出制御処理（図９参照）の一環として行われる。サブ制御基板２２０のＣＰＵ２２１はＳＴ表示演出処理を開始すると、図１２に示すように、２Ｒ高確当りの開始タイミングであるか否かを判断する（Ｓ１０００）。その結果、２Ｒ高確当りの開始タイミングであると判断された場合は（Ｓ１０００：ｙｅｓ）、演出表示装置４１の表示画面に「ＳＴ合計図柄（数字画像）」を表示すると共に該「ＳＴ合計図柄」の変動表示を開始する（Ｓ１００２）。
【０１０５】
図１４（ａ）には、演出表示装置４１の表示画面に「ＳＴ合計図柄」が表示（変動表示）されている様子が示されている。図示されるように、２Ｒ高確当りが開始されると（２Ｒ高確当りの開始タイミングでは）、当該２Ｒ高確当りの終了後に設定されるＳＴ回数を示すための「ＳＴ回数表示領域」が設定される。詳しくは、「ＳＴ回数」という文字が付され、且つ、「ＳＴ回数表示領域」を規定する「枠画像」が表示画面の右下隅部に表示される。そして、「枠画像」の内側の領域、すなわち、「ＳＴ回数表示領域」に、ＳＴ回数を示す「ＳＴ合計図柄」が表示（変動表示）される。また、２Ｒ高確当りが開始されたことから、遊技球を大入賞口２８に入球させることを遊技者に促す「大入賞口を狙って下さい」という文字が表示画面の下部に表示される。
【０１０６】
以上のように、２Ｒ高確当りの開始タイミングである場合は、演出表示装置４１の表示画面に、「枠画像」を表示することで「ＳＴ回数表示領域」を設定し、この「ＳＴ回数表示領域」に「ＳＴ合計図柄」を表示（変動表示）する。この際、「大入賞口を狙って下さい」という文字も表示する。
【０１０７】
＜＜１ラウンド目実行中の処理＞＞
２Ｒ高確当りにおける１回目のラウンド遊技（本明細書では「１ラウンド目」ともいう）の実行中である場合は（図１２のＳ１００４：ｙｅｓ）、遊技球が大入賞口２８に入球したか否かを判断する（Ｓ１００６）。その結果、遊技球が大入賞口２８に入球した場合は（Ｓ１００６：ｙｅｓ）、この入球が「オーバー入球」であるか否かを判断する（Ｓ１００８）。すなわち、１回のラウンド遊技（ここでは１ラウンド目）では１０個の遊技球が大入賞口２８に入球可能であるところ、遊技球が大入賞口２８に到達するタイミングによっては、１１個以上の遊技球が入球してしまうことがある。「オーバー入球」とは、１回のラウンド遊技（ここでは１ラウンド目）が開始されてから１１個目以後の遊技球の入球のことである。Ｓ１００８の判断処理の結果、「オーバー入球」でないと判断された場合は（Ｓ１００８：ｎｏ）、演出表示装置４１の表示画面に「ＳＴ加算図柄（数字画像）」を表示する（Ｓ１０１０）。詳しくは後述するが、「ＳＴ加算図柄」としては、ＳＴ回数が１０回加算されたことを示唆する画像が表示される。
【０１０８】
そして、「ＳＴ加算図柄」を表示した場合は（Ｓ１０１０）、「ＳＴ合計図柄」を「１０」加算した数字を示す図柄で停止表示させる（Ｓ１０１２）。すなわち、遊技球が大入賞口２８に入球する前は「ＳＴ合計図柄」は変動表示しているので、遊技球が大入賞口２８に入球したタイミング（「ＳＴ加算図柄」を表示したタイミング）では、この変動表示している「ＳＴ合計図柄」を「１０」加算した数字を示す図柄で停止表示させる。このような構成は、ＳＴ回数が１０回加算されたことを示唆する「ＳＴ加算図柄」を表示したことに対応して、「１０」加算した数字を示す図柄で「ＳＴ合計図柄」を停止表示させる構成であると捉えることもできる。また、このような構成は、遊技球が大入賞口２８に入球したタイミング（以下、単に「入球タイミング」ともいう）で「ＳＴ合計図柄」（が示す数字）を更新（変更）する構成であると捉えることもできる。
【０１０９】
図１４および図１５には、「ＳＴ加算図柄」が表示される様子、および、「ＳＴ合計図柄」が停止表示（更新）される様子が示されている。図１４（ａ）に示すように、遊技球が大入賞口２８に入球する前は「ＳＴ合計図柄」は変動表示している。そして、図１４（ｂ）に示すように、１ラウンド目が開始されてから１回目の入球タイミングでは、ＳＴ回数が１０回加算されたことを示唆すべく、「ＳＴ加算図柄」として「＋１０」という文字が付された画像を表示する。このように表示された「ＳＴ加算図柄」は、１ラウンド目が終了するまで表示された状態となる（１ラウンド目が終了する際に表示が終了する）。
【０１１０】
そして、このように「ＳＴ加算図柄」を表示した場合は、「ＳＴ合計図柄」を「１０」加算した数字を示す図柄で停止表示させる。図１４（ｂ）に示すように、１ラウンド目が開始されてから、１回目の入球タイミングでは、「ＳＴ合計図柄」を「１０」を示す図柄で停止表示させる。すなわち、この１回目の入球タイミングでは、２Ｒ高確当りが開始されてから最初に「ＳＴ加算図柄」が表示されることから、「ＳＴ合計図柄」として０に１０を加算した数字である「１０」を示す図柄を表示する。このように停止表示された「ＳＴ合計図柄」は、所定の時間（例えば、０．１秒）経過後、再び変動表示される。
【０１１１】
一方、１ラウンド目が開始されてから２回目以後の入球タイミングでは、それまで表示されていた「ＳＴ加算図柄」に重ねて新たな「ＳＴ加算図柄」を表示する。また、変動表示中の「ＳＴ合計図柄」を「前回停止表示された図柄が示す数字」に「１０」を加算した数字を示す図柄で停止表示させる。
【０１１２】
例えば、１ラウンド目が開始されてから２回目の入球タイミングでは、図１５に示すように、１回目の入球タイミングで表示された「ＳＴ加算図柄」に重ねて新たな「ＳＴ加算図柄」を表示し、変動表示中の「ＳＴ合計図柄」を「１回目の入球タイミングで停止表示された図柄が示す１０」に「１０」を加算した数字である「２０」を示す図柄で停止表示させる。同様に、１ラウンド目が開始されてから３〜１０回目の入球タイミングでも、それまで表示されていた「ＳＴ加算図柄」に重ねて新たな「ＳＴ加算図柄」を表示し、変動表示中の「ＳＴ合計図柄」を「前回停止表示された図柄が示す数字」に「１０」を加算した数字を示す図柄で停止表示させる。従って、１ラウンド目が開始されてから１０回目の入球タイミングでは、図１６（ａ）に示すように、「ＳＴ加算図柄」が１０個表示され、「ＳＴ合計図柄」として「１００」を示す図柄が停止表示された状態となる。すなわち、本実施例のパチンコ機１では、１回のラウンド遊技（ここでは１ラウンド目）では、１０個の遊技球が大入賞口２８に入球可能であるので、１ラウンド目の終了時には、図１６（ａ）に示した状態となる。
【０１１３】
以上のように、２Ｒ高確当りにおける１ラウンド目の実行中である場合は、１ラウンド目が開始されてから１〜１０回目の入球タイミングで（オーバー入球でなければ）、「ＳＴ加算図柄」を表示すると共に、変動表示中の「ＳＴ合計図柄」を「前回停止表示された図柄が示す数字」に「１０」を加算した数字を示す図柄で停止表示させる。
【０１１４】
＜＜１ラウンド目終了時の処理＞＞
１ラウンド目の終了タイミングである場合は（図１２のＳ１０１４：ｙｅｓ）、「ＳＴ合計図柄」を拡大して表示する（Ｓ１０１６）。すなわち、図１５（ｂ）に示すように、「枠画像」を拡大して表示することで「ＳＴ回数表示領域」を拡大して設定し、該拡大された「ＳＴ回数表示領域」に「ＳＴ合計図柄」として「１００」を示す図柄を表示する。このように拡大して表示された「ＳＴ合計図柄」は、２回目のラウンド遊技（本明細書では「２ラウンド目」ともいう）が開始されるまで、そのまま表示しておく。
【０１１５】
尚、１ラウンド目の終了タイミングでは、それまで表示されていた「ＳＴ加算図柄」の表示は終了してもよいが、「大入賞口を狙って下さい」という文字については、後に２ラウンド目が開始されることから、該２ラウンド目で遊技球を大入賞口２８に入球させることを遊技者に促すべく、そのまま表示しておく。
【０１１６】
ここで、本実施例のパチンコ機１では、１回のラウンド遊技（ここでは１ラウンド目）では１０個の遊技球が大入賞口２８に入球可能である。もっとも、１０個の遊技球が大入賞口２８に入球する前に３０秒が経過して１回のラウンド遊技（ここでは１ラウンド目）が終了する場合（１０個未満の遊技球しか大入賞口２８に入球しない場合）がある。そして、このような場合は、１ラウンド目の終了タイミングでは、「ＳＴ合計図柄」としては「１００」より小さい数字を示す図柄が停止表示されていることとなる。上述したＳ１０１６の処理では、このような場合であっても、拡大された「ＳＴ回数表示領域」に「ＳＴ合計図柄」として「１００」を示す図柄を表示する。また、Ｓ１００４の判断処理を行うことによって、オーバー入球である場合は「ＳＴ加算図柄」の表示や、「ＳＴ合計図柄」の停止表示（図柄が示す数字の加算）は行わないこととしている。こうすると、１回のラウンド遊技（ここでは１ラウンド目）の大入賞口２８への入球数に拘わらず、１回のラウンド遊技（ここでは１ラウンド目）の終了タイミングでは（１ラウンド目が終了してから２ラウンド目が開始されるまでは）、「ＳＴ合計図柄」として「１００」を示す図柄を表示することができる。
【０１１７】
以上のように、２Ｒ高確当りにおける１ラウンド目の終了タイミングでは、「枠画像」を拡大して表示することで「ＳＴ回数表示領域」を拡大して設定し、該拡大された「ＳＴ回数表示領域」に「ＳＴ合計図柄」として「１００」を示す図柄を（拡大して）表示する。そして、このように拡大して表示された「枠画像」、「ＳＴ回数表示領域」、「ＳＴ合計図柄」は、２ラウンド目の開始タイミングで（図１３のＳ１０１８：ｙｅｓ）、元の大きさに縮小して表示される（Ｓ１０２０）。この際、「ＳＴ合計図柄」の変動表示も再開される（Ｓ１０２０）。すなわち、「枠画像」、「ＳＴ回数表示領域」、「ＳＴ合計図柄」は、図１４（ａ）を用いて前述した状態（２Ｒ高確当りあるいは１ラウンド目の開始タイミングと同じ状態）となる。
【０１１８】
＜＜２ラウンド目実行中の処理＞＞
２Ｒ高確当りにおける２ラウンド目の実行中である場合は（Ｓ１０２２：ｙｅｓ）、上述した１ラウンド目の実行中である場合の処理（Ｓ１００６〜Ｓ１０１２）と同様の処理を行う。簡単に説明すると、大入賞口２８に遊技球が入球した場合は（Ｓ１０２４：ｙｅｓ）、この入球が「オーバー入球」であるか否かを判断する（Ｓ１０２６）。そして、「オーバー入球」でなければ（Ｓ１０２６：ｎｏ）、演出表示装置４１の表示画面に「ＳＴ加算図柄」を表示すると共に（Ｓ１０２８）、「ＳＴ合計図柄」を「１０」加算した数字を示す図柄で停止表示させる（Ｓ１０３０）。
【０１１９】
例えば、２ラウンド目が開始されてから、１回目の入球タイミングでは、「１ラウンド目で最終的に停止表示された図柄が示す１００」に「１０」を加算した数字である「１１０」を示す図柄を表示する。このように停止表示された「ＳＴ合計図柄」は、所定の時間（例えば、０．１秒）経過後、再び変動表示される。さらに、２ラウンド目が開始されてから２回目以後の入球タイミングでは、それまで表示されていた「ＳＴ加算図柄」に重ねて新たな「ＳＴ加算図柄」を表示する。また、変動表示中の「ＳＴ合計図柄」を「前回停止表示された図柄が示す数字」に「１０」を加算した数字を示す図柄で停止表示させる。従って、２ラウンド目が開始されてから１０回目の入球タイミングでは、「ＳＴ加算図柄」が１０個表示され、「ＳＴ合計図柄」として「２００」を示す図柄が停止表示された状態となる。
【０１２０】
以上のように、２Ｒ高確当りにおける２ラウンド目の実行中である場合も、２ラウンド目が開始されてから１〜１０回目の入球タイミングで（オーバー入球でなければ）、「ＳＴ加算図柄」を表示すると共に、変動表示中の「ＳＴ合計図柄」を「前回停止表示された図柄が示す数字」に「１０」を加算した数字を示す図柄で停止表示させる。
【０１２１】
＜＜２ラウンド目終了時の処理＞＞
２ラウンド目の終了タイミングである場合は（図１３のＳ１０３２：ｙｅｓ）、「ＳＴ合計図柄」を拡大して表示する（Ｓ１０３４）。すなわち、「枠画像」を拡大して表示することで「ＳＴ回数表示領域」を拡大して設定し、該拡大された「ＳＴ回数表示領域」に「ＳＴ合計図柄」として「２００」を示す図柄を表示する。このように拡大して表示された「ＳＴ合計図柄」は、２Ｒ高確当りが終了するまで、そのまま表示しておく。
【０１２２】
尚、２ラウンド目の終了タイミングでは、それまで表示されていた「ＳＴ加算図柄」の表示、「大入賞口を狙って下さい」という文字の表示は終了する。
【０１２３】
ここで、本実施例のパチンコ機１では、１回のラウンド遊技（ここでは２ラウンド目）では１０個の遊技球が大入賞口２８に入球可能である。もっとも、１０個の遊技球が大入賞口２８に入球する前に３０秒が経過して１回のラウンド遊技（ここでは２ラウンド目）が終了する場合（１０個未満の遊技球しか大入賞口２８に入球しない場合）がある。そして、このような場合は、２ラウンド目の終了タイミングでは、「ＳＴ合計図柄」としては「２００」より小さい数字を示す図柄が停止表示されていることとなる。上述したＳ１０３４の処理では、このような場合であっても、拡大された「ＳＴ回数表示領域」に「ＳＴ合計図柄」として「２００」を示す図柄を表示する。また、Ｓ１０２６の判断処理を行うことによって、オーバー入球である場合は「ＳＴ加算図柄」の表示や、「ＳＴ合計図柄」の停止表示（図柄が示す数字の加算）は行わないこととしている。こうすると、１回のラウンド遊技（ここでは２ラウンド目）の大入賞口２８への入球数に拘わらず、１回のラウンド遊技（ここでは２ラウンド目、２Ｒ高確当り）の終了タイミングでは、「ＳＴ合計図柄」として「２００」を示す図柄を表示することができる。
【０１２４】
以上のように、２Ｒ高確当りにおける２ラウンド目（あるいは２Ｒ高確当り）の終了タイミングでは、「枠画像」を拡大して表示することで「ＳＴ回数表示領域」を拡大して設定し、該拡大された「ＳＴ回数表示領域」に「ＳＴ合計図柄」として「２００」を示す図柄を（拡大して）表示する。
【０１２５】
以上のように、本実施例のパチンコ機１では、２Ｒ高確当り（１ラウンド目、２ラウンド目）の実行中に遊技球が大入賞口２８に入球するタイミングで、当該２Ｒ高確当りの終了後に設定されるＳＴ回数に係る情報（ＳＴ加算図柄）を表示する。従来であれば、ＳＴ回数に係る情報を遊技者に報知するタイミングは、大当り遊技が開始されるタイミングや、大当り遊技中に所定の演出が行われたタイミング等の予め定められたタイミングである。一方、大当り遊技中に遊技球が大入賞口２８に入球するタイミングでは、当該入球を受けて払い出される遊技球数が表示されることが一般的である。この点、本実施例のパチンコ機１では、２Ｒ高確当りの実行中に遊技球が大入賞口２８に入球するタイミングで、当該入球と関係の無いＳＴ回数に係る情報（ＳＴ加算図柄）を表示する。このため、遊技者に対して意外性を与えることができ、また、ＳＴ回数に係る情報（ＳＴ加算図柄）を表示するタイミングを多様にすることができ、遊技興趣を高めることが可能となる。
【０１２６】
また、本実施例のパチンコ機１では、２Ｒ高確当りの実行中に遊技球が大入賞口２８に入球する複数回のタイミング（１ラウンド目および２ラウンド目の１〜１０回目の入球タイミング）に亘って、実際に設定されるＳＴ回数（２００回）よりも小さい数字である「１０」を示す「ＳＴ加算図柄」を表示する。換言すると、２Ｒ高確当りの実行中は、遊技球が大入賞口２８に入球する度に、実際に設定されるＳＴ回数（２００回）よりも小さい数字である「１０」を示す「ＳＴ加算図柄」が表示される。このため、遊技者に対して、遊技球が大入賞口２８に入球する度にＳＴ回数が増加していくように感じさせることができ、遊技興趣を高めることが可能となる。
【０１２７】
また、本実施例のパチンコ機１では、「ＳＴ加算図柄」を表示するタイミングは、１ラウンド目および２ラウンド目に跨がっている。すなわち、「ＳＴ加算図柄」は複数回のラウンド遊技（１ラウンド目、２ラウンド目）に分けて表示される。ここで、ラウンド遊技とラウンド遊技との間は、所定の時間のインターバル（間隔）が設けられている。従って、本実施例のパチンコ機１のように、「ＳＴ加算図柄」が複数回のラウンド遊技に分けて表示されると、「ＳＴ加算図柄」が表示されるタイミング同士の間隔が（少なくともインターバル分は）長くなる。そして、この場合は、「ＳＴ加算図柄」の表示が終了したように遊技者に感じさせた後、再度、「ＳＴ加算図柄」が表示されることとなる。このため、遊技者に対して、一旦終了したＳＴ回数の増加が再開したように感じさせることができ、遊技興趣を高めることが可能となる。
【０１２８】
また、本実施例のパチンコ機１では、２Ｒ高確当り（１ラウンド目、２ラウンド目）の実行中に遊技球が大入賞口２８に入球するタイミングで、当該２Ｒ高確当りの終了後に設定されるＳＴ回数に係る情報（ＳＴ合計図柄）を更新する。従来であれば、ＳＴ回数に係る情報を遊技者に報知するタイミングは、大当り遊技が開始されるタイミングや、大当り遊技中に所定の演出が行われたタイミング等の予め定められたタイミングである。一方、大当り遊技中に遊技球が大入賞口２８に入球するタイミングでは、当該入球を受けて払い出される遊技球数が表示されることが一般的である。この点、本実施例のパチンコ機１では、２Ｒ高確当りの実行中に遊技球が大入賞口２８に入球するタイミングで、当該入球と関係の無いＳＴ回数に係る情報（ＳＴ合計図柄）を更新する。このため、遊技者に対して意外性を与えることができ、また、ＳＴ回数に係る情報（ＳＴ合計図柄）を更新するタイミングを多様にすることができ、遊技興趣を高めることが可能となる。
【０１２９】
また、本実施例のパチンコ機１では、２Ｒ高確当りの実行中に遊技球が大入賞口２８に入球する複数回のタイミング（１ラウンド目および２ラウンド目の１〜１０回目の入球タイミング）に亘って、実際に設定されるＳＴ回数（２００回）を限度に「ＳＴ合計図柄」が示す数字を増加させる。換言すると、２Ｒ高確当りの実行中は、遊技球が大入賞口２８に入球する度に、実際に設定されるＳＴ回数（２００回）を限度に「ＳＴ合計図柄」が示す数字を増加させる。このため、遊技者に対して、遊技球が大入賞口２８に入球する度にＳＴ回数が増加していくように感じさせることができ、遊技興趣を高めることが可能となる。
【０１３０】
また、本実施例のパチンコ機１では、「ＳＴ合計図柄」が示す数字を増加させるタイミング（「ＳＴ合計図柄」を更新するタイミング）は、１ラウンド目および２ラウンド目に跨がっている。すなわち、「ＳＴ合計図柄」が示す数字は複数回のラウンド遊技（１ラウンド目、２ラウンド目）に分けて増加される（「ＳＴ合計図柄」は複数回のラウンド遊技に分けて更新される）。ここで、ラウンド遊技とラウンド遊技との間は、所定の時間のインターバル（間隔）が設けられている。従って、本実施例のパチンコ機１のように、「ＳＴ合計図柄」が示す数字が複数回のラウンド遊技に分けて増加（更新）されると、「ＳＴ合計図柄」が示す数字が増加されるタイミング同士の間隔が（少なくともインターバル分は）長くなる。そして、この場合は、「ＳＴ合計図柄」が示す数字（ＳＴ回数）の増加が終了したように遊技者に感じさせた後、再度、「ＳＴ合計図柄」が示す数字（ＳＴ回数）の増加が開始されることとなる。このため、遊技者に対して、一旦終了したＳＴ回数の増加が再開したように感じさせることができ、遊技興趣を高めることが可能となる。
【０１３１】
また、本実施例のパチンコ機１では、「ＳＴ合計図柄」が示す数字が増加される複数回のタイミング間は、「ＳＴ合計図柄」は変動表示しており、遊技球が大入賞口２８に入球するタイミングで停止表示する。従って、遊技球が大入賞口２８に入球する度にＳＴ回数が増加していくような遊技者の感覚を更に強めることができ、遊技興趣を高めることが可能となる。
【０１３２】
Ｆ．変形例  ：
次に変形例について説明する。
Ｆ−１．変形例１  ：
上述した実施例では、「ＳＴ状態」の設定中に「残りＳＴ回数」を表示するところ、ＳＴ表示演出では、この「残りＳＴ回数」を更新することとしてもよい。
【０１３３】
すなわち、図１７に示すように、「ＳＴ状態」の設定中は「残りＳＴ回数」を示す「残りＳＴ回数図柄（数字画像）」を表示している。そして、「ＳＴ状態」の設定中に１回の図柄変動演出（図柄変動遊技）が行われると「残りＳＴ回数」も１回減少するので、その度に「残りＳＴ回数図柄」が示す「残りＳＴ回数」も１回減少させる。
【０１３４】
「ＳＴ状態」の設定中に２Ｒ高確当りが開始された場合は、図１８（ａ）に示すように、それまで表示されていた「残りＳＴ回数図柄」を表示したままにしておく。例えば、「残りＳＴ回数」が１２９回である場合に２Ｒ高確当りが開始された場合は、図示されるように、「残りＳＴ回数図柄」が示す「残りＳＴ回数」が「１２９回」であるままにしておく。また、この場合は、遊技球を大入賞口２８に入球させることを遊技者に促すべく、「大入賞口を狙って下さい」という文字を表示する。
【０１３５】
そして、２Ｒ高確当りの実行中に遊技球が大入賞口２８に入球する複数回のタイミングに亘って、図１８（ｂ）に示すように、「残りＳＴ回数図柄」が示す「残りＳＴ回数」が徐々に「２００回」に近づくように、「残りＳＴ回数図柄」を更新する。そして、最終的には「残りＳＴ回数図柄」が示す「残りＳＴ回数」を「２００回」にする。すなわち、２Ｒ高確当りが開始された場合は、その際の「残りＳＴ回数」に拘わらず、当該２Ｒ高確当り終了後に「ＳＴ回数（残りＳＴ回数）」が２００回に設定される。従って、２Ｒ高確当りの終了時点（あるいは次に図柄変動演出が開始される時点）で、「残りＳＴ回数図柄」が示す「残りＳＴ回数」が「２００回」となるように、遊技球が大入賞口２８に入球する複数回のタイミングに亘って、「残りＳＴ回数図柄」が示す「残りＳＴ回数」が徐々に「２００回」に近づくように、「残りＳＴ回数図柄」を更新する。
【０１３６】
例えば、２Ｒ高確当りの実行中に遊技球が大入賞口２８に入球する度に、「残りＳＴ回数図柄」が示す「残りＳＴ回数」が所定の回数（例えば１０回）ずつ増加していくように、「残りＳＴ回数図柄」を更新していく。その過程で、「残りＳＴ回数図柄」が示す「残りＳＴ回数」と「２００回」との差が「１０」以下となった後は、「残りＳＴ回数図柄」が示す「残りＳＴ回数」が「２００回」になるように「残りＳＴ回数図柄」を更新する。そして、「残りＳＴ回数図柄」が示す「残りＳＴ回数」が「２００回」となった後は、遊技球が大入賞口２８に入球しても、「残りＳＴ回数図柄」は更新しない。
【０１３７】
または、次のような構成としてもよい。先ず、２Ｒ高確当りが開始された際の「残りＳＴ回数」と「２００回」との差を所定の数（例えば、２Ｒ高確当りの実行中に大入賞口２８に入球可能な遊技球の数である「２０」）で割って商を算出する。そして、２Ｒ高確当りの実行中に遊技球が大入賞口２８に入球する度に、「残りＳＴ回数図柄」が示す「残りＳＴ回数」が「算出した商」だけ増加していくように、「残りＳＴ回数図柄」を更新していく。
【０１３８】
以上のように、変形例１では、２Ｒ高確当り（１ラウンド目、２ラウンド目）の実行中に遊技球が大入賞口２８に入球するタイミングで「残りＳＴ回数図柄」（が示す「残りＳＴ回数」）を更新する。従来であれば、ＳＴ回数に係る情報を遊技者に報知するタイミングは、大当り遊技が開始されるタイミングや、大当り遊技中に所定の演出が行われたタイミング等の予め定められたタイミングである。一方、大当り遊技中に遊技球が大入賞口２８に入球するタイミングでは、当該入球を受けて払い出される遊技球数が表示されることが一般的である。この点、変形例１では、２Ｒ高確当りの実行中に遊技球が大入賞口２８に入球するタイミングで、当該入球と関係の無い「残りＳＴ回数図柄」（が示す「残りＳＴ回数」）を更新する。このため、遊技者に対して意外性を与えることができ、また、「残りＳＴ回数図柄」（が示す「残りＳＴ回数」）を更新するタイミングを多様にすることができ、遊技興趣を高めることが可能となる。
【０１３９】
また、変形例１では、２Ｒ高確当り中であるにも拘わらず「残りＳＴ回数」を示す「残りＳＴ回数図柄」が表示されたままであり、その上、該「残りＳＴ回数図柄」が更新される。こうすると、遊技者に対して、２高確当り中であれば更新されない筈の「残りＳＴ回数」が更新されているように感じさせることができる。この結果、遊技者に意外性を与えることができ、遊技興趣を高めることが可能となる。
【０１４０】
また、変形例１では、２Ｒ高確当りの実行中に遊技球が大入賞口２８に入球する複数回のタイミング（１ラウンド目および２ラウンド目の１〜１０回目の入球タイミング）に亘って、実際に設定されるＳＴ回数（２００回）を限度に「残りＳＴ回数図柄」が示す「残りＳＴ回数」を増加させる（「残りＳＴ回数図柄」を更新する）こととしてもよい。換言すると、２Ｒ高確当りの実行中は、遊技球が大入賞口２８に入球する度に、実際に設定されるＳＴ回数（２００回）を限度に「残りＳＴ回数図柄」が示す「残りＳＴ回数」を増加させる（「残りＳＴ回数図柄」を更新する）こととしてもよい。こうすると、遊技者に対して、遊技球が大入賞口２８に入球する度にＳＴ回数が増加していくように感じさせることができ、遊技興趣を高めることが可能となる。
【０１４１】
また、変形例１では、「残りＳＴ回数図柄」が示す「残りＳＴ回数」を増加させる（「残りＳＴ回数図柄」を更新する）タイミングは、１ラウンド目および２ラウンド目に跨がっていることとしてもよい。すなわち、「残りＳＴ回数図柄」が示す「残りＳＴ回数」は複数回のラウンド遊技（１ラウンド目、２ラウンド目）に分けて増加される（「残りＳＴ回数図柄」は複数回のラウンド遊技に分けて更新される）こととしてもよい。ここで、ラウンド遊技とラウンド遊技との間は、所定の時間のインターバル（間隔）が設けられている。従って、上述したように、「残りＳＴ回数図柄」が示す「残りＳＴ回数」が複数回のラウンド遊技に分けて増加（更新）されると、「残りＳＴ回数図柄」が示す「残りＳＴ回数」が増加されるタイミング同士の間隔が（少なくともインターバル分は）長くなる。そして、この場合は、「残りＳＴ回数図柄」が示す「残りＳＴ回数」の増加が終了したように遊技者に感じさせた後、再度、「残りＳＴ回数図柄」が示す「残りＳＴ回数」の増加が開始されることとなる。このため、遊技者に対して、一旦終了した「残りＳＴ回数」の増加が再開したように感じさせることができ、遊技興趣を高めることが可能となる。
【０１４２】
また、変形例１では、「残りＳＴ回数図柄」が示す「残りＳＴ回数」が増加される複数回のタイミング間は、「残りＳＴ回数図柄」が示す「残りＳＴ回数」は変動表示しており、遊技球が大入賞口２８に入球するタイミングで停止表示することとしてもよい。こうすると、遊技球が大入賞口２８に入球する度にＳＴ回数が増加していくような遊技者の感覚を更に強めることができ、遊技興趣を高めることが可能となる。
【０１４３】
また、変形例１では、２Ｒ高確当りが開始されても「残りＳＴ回数」を示す「残りＳＴ回数図柄」を表示したままにしておき、その後、遊技球が大入賞口２８に入球する度に、「残りＳＴ回数図柄」が示す数字を「残りＳＴ回数」から増加させていく。こうすると、遊技者に対して、遊技球が大入賞口２８に入球する度に一旦減少したＳＴ回数が復活（増加）していくように感じさせることができ、遊技興趣を高めることが可能となる。
【０１４４】
Ｆ−２．変形例２  ：
上述した実施例においては、大当り遊技として「２Ｒ通常当り」を実行可能であることとしてもよい。ここで、「２Ｒ通常当り」とは、２回のラウンド遊技は行われるものの「ＳＴ回数」は設定されない（終了後に「低確率・非電サポ状態」が設定される）大当り遊技である。
【０１４５】
そして、２Ｒ高確当りの実行中だけでなく２Ｒ通常当りの実行中も、ＳＴ表示演出を行うこととしてもよい。もっとも、２Ｒ通常当りの終了後はＳＴ回数が設定されないことから、２Ｒ通常当りの実行中は、次のようなＳＴ表示演出を行う。
【０１４６】
例えば、２Ｒ通常当りの実行中にＳＴ表示演出を行う場合は、「ＳＴ加算図柄」は表示されるものの「ＳＴ合計図柄」として「２００」を示す図柄が表示されないこととしてもよい。また、ＳＴ回数が設定されないことを示唆する画像を表示することとしてもよい。こうすると、ＳＴ回数が設定されるか否かを認識していない遊技者に対して、「ＳＴ合計図柄」として「２００」を示す図柄が表示されることを期待させることができ、遊技興趣を高めることが可能となる。
【０１４７】
また、２Ｒ通常当りの実行中にＳＴ表示演出を行う場合は、２Ｒ高確当りの実行中にＳＴ表示演出を行う場合よりも、「ＳＴ加算図柄」の表示や「ＳＴ合計図柄」の更新が行われ難いこととしてもよい。例えば、２Ｒ通常当りの実行中にＳＴ表示演出を行う場合は、５０％の確率で「ＳＴ加算図柄」の表示や「ＳＴ合計図柄」の更新を行うこととし、２Ｒ高確当りの実行中にＳＴ表示演出を行う場合は、８０％の確率で「ＳＴ加算図柄」の表示や「ＳＴ合計図柄」の更新を行うこととしてもよい。こうすると、ＳＴ回数が設定されるか否かを認識していない遊技者に対して、「ＳＴ加算図柄」の表示や「ＳＴ合計図柄」の更新の頻度が高くなることを期待させることができ、遊技興趣を高めることが可能となる。
【０１４８】
以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１４９】
例えば、上述した実施例においては、ＳＴ回数を示唆する特定の画像（例えば、炎の画像など）を表示することとし、２Ｒ高確当りの実行中に遊技球が大入賞口２８に入球するタイミングで特定の画像の表示態様を変化させる（例えば、炎の画像の色彩を変化させる）構成としてもよい。この場合は、特定の画像を「有利状態の継続回数に係る情報」として捉えることができる。
【０１５０】
また、上述した実施例や変形例においては、８Ｒ高確当りや１６Ｒ高確当りの実行中に、「ＳＴ加算図柄」の表示、「ＳＴ合計図柄」の更新、「残りＳＴ回数図柄」の更新を行うこととしてもよい。
【０１５１】
また、上述した実施例においては、第１の継続回数のＳＴ回数と、第１の継続回数よりも多い第２の継続回数のＳＴ回数とを設定可能としてもよい。そして、この場合は、より多い第２の継続回数のＳＴ回数が設定された場合の方が、より少ない第１の継続回数のＳＴ回数が設定された場合よりも「ＳＴ加算図柄」の表示や「ＳＴ合計図柄」の更新が行われ易い（高い頻度で行われる）こととしてもよい。こうすると、ＳＴ回数を認識していない遊技者に対して、「ＳＴ加算図柄」の表示や「ＳＴ合計図柄」の更新の頻度が高くなることを期待させることができ、遊技興趣を高めることが可能となる。
【０１５２】
また、上述した実施例においては、本発明の「有利状態」として「ＳＴ状態」を採用した例を説明したが、これに限らない。すなわち、「有利状態」は、「低確率状態且つ非電サポ状態」よりも遊技者に有利な状態であればよく、「高確率状態且つ非電サポ状態」、「低確率状態且つ電サポ状態」等であってもよい。また、これらの「有利状態」としては、大当り遊技が行われることなく所定の継続回数の図柄変動遊技が行われると終了する状態だけでなく、次回の大当り遊技が開始されるまで継続される状態（以下「次回まで継続の有利状態」ともいう）を設定可能であることとしてもよい。そして、大当り遊技中は、当該大当り遊技終了後に「次回まで継続の有利状態」が設定される場合であっても、遊技球が大入賞口２８に入球するタイミングで「有利状態の継続回数に係る情報」を表示することとしてもよい。この場合の「有利状態の継続回数に係る情報」としては、所定の継続回数（数字）を示す図柄を表示することとしてもよいし、次回の大当り遊技が開始されるまで有利状態が継続することを示す情報（例えば、「次回まで継続決定」という文字画像など）を表示することとしてもよい。
【０１５３】
また、上述した実施例においては、大当り遊技終了後に「高確率状態且つ電サポ状態」が設定された場合、これらの状態のうち、高確率状態は、次回の大当り遊技が開始されるまで継続することとし、電サポ状態は、所定の継続回数（例えば、１０回、２０回、５０回）で終了することとしてもよい。そして、この場合は、本発明の「有利状態」として電サポ状態を採用し、本発明の「有利状態の継続回数に係る情報」として所定の継続回数（数字）を示す図柄を表示することとしてもよい。
【０１５４】
また、上述した実施例においては、遊技ホールの島設備から供給される遊技球を払い出すことによって、遊技の結果としての利益（遊技価値）を遊技者に付与するパチンコ機１に本発明を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。なお、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
【０１５５】
＜上述した実施例から抽出できる遊技機Ａ１〜Ａ９＞
上述した実施例のパチンコ機は、次のような遊技機Ａ１〜Ａ９として捉えることができる。
【０１５６】
＜遊技機Ａ１＞
識別情報を変動表示させる識別情報表示手段と、
前記識別情報が特定態様で表示されることに基づいて、可変入球口が入球可能状態となる特定遊技を実行する特定遊技実行手段と、
前記特定遊技の終了後に遊技者にとって有利な有利状態を設定可能な有利状態設定手段と、
を備え、
前記特定遊技の終了後に前記有利状態が設定される場合は、当該特定遊技の実行中に、当該有利状態に係る情報を表示可能である
ことを特徴とする遊技機。
【０１５７】
このような遊技機では、特定遊技の終了後に有利状態が設定される場合は、特定遊技の実行中に「有利状態に係る情報」を遊技者に認識させることができる。
【０１５８】
＜遊技機Ａ２＞
遊技機Ａ１において、
前記有利状態は、当該有利状態の設定中に前記特定遊技が開始されなければ、前記識別情報の変動表示が所定の継続回数行われると終了するものであり、
前記特定遊技の終了後に前記有利状態が設定される場合は、当該特定遊技の実行中に遊技球が前記可変入球口に入球するタイミングで、当該有利状態の前記継続回数に係る情報を表示する
ことを特徴とする遊技機。
【０１５９】
従来であれば、「有利状態の継続回数に係る情報」を遊技者に報知するタイミングは、特定遊技が開始されるタイミングや、特定遊技中に所定の演出が行われたタイミング等の予め定められたタイミングである。一方、特定遊技中に遊技球が可変入球口に入球するタイミングでは、当該入球を受けて払い出される遊技球数が表示されることが一般的である。この点、本遊技機では、特定遊技の実行中に遊技球が可変入球口に入球するタイミングで、当該入球と関係の無い「有利状態の継続回数に係る情報」を表示する。このため、遊技者に対して意外性を与えることができ、また、「有利状態の継続回数に係る情報」を表示するタイミングを多様にすることができ、遊技興趣を高めることが可能となる。
【０１６０】
＜遊技機Ａ３＞
遊技機Ａ１において、
前記有利状態は、当該有利状態の設定中に前記特定遊技が開始されなければ、前記識別情報の変動表示が所定の継続回数行われると終了するものであり、
前記特定遊技の終了後に前記有利状態が設定される場合は、当該特定遊技の実行中に遊技球が前記可変入球口に入球する複数回のタイミングに亘って、前記継続回数よりも小さい数字を示す数字画像を表示する
ことを特徴とする遊技機。
【０１６１】
このような遊技機であれば、特定遊技の実行中は、遊技球が可変入球口に入球する度に「有利状態の継続回数」よりも小さい数字を示す数字画像が表示される。このため、遊技者に対して、遊技球が可変入球口に入球する度に「有利状態の継続回数」が増加していくように感じさせることができ、遊技興趣を高めることが可能となる。
【０１６２】
＜遊技機Ａ４＞
遊技機Ａ３において、
１回の前記特定遊技としては、前記可変入球口が開放状態となるラウンド遊技が複数回行われるものであり、
前記数字画像を表示する前記複数回のタイミングは、複数回の前記ラウンド遊技に跨がっている
ことを特徴とする遊技機。
【０１６３】
このような遊技機であれば、数字画像は複数回のラウンド遊技に分けて表示される。ここで、ラウンド遊技とラウンド遊技との間は、所定の時間のインターバル（間隔）が設けられることが通常である。従って、本遊技機のように、数字画像が複数回のラウンド遊技に分けて表示されると、数字画像が表示されるタイミング同士の間隔が（少なくともインターバル分は）長くなる。そして、この場合は、数字画像の表示が終了したように遊技者に感じさせた後、再度、数字画像が表示されることとなる。このため、遊技者に対して、一旦終了した「有利状態の継続回数」の増加が再開したように感じさせることができ、遊技興趣を高めることが可能となる。
【０１６４】
＜遊技機Ａ５＞
遊技機Ａ１において、
前記有利状態は、当該有利状態の設定中に前記特定遊技が開始されなければ、前記識別情報の変動表示が所定の継続回数行われると終了するものであり、
前記特定遊技の終了後に前記有利状態が設定される場合は、当該特定遊技の実行中に遊技球が前記可変入球口に入球するタイミングで、当該有利状態の前記継続回数に係る情報の表示を更新する
ことを特徴とする遊技機。
【０１６５】
従来であれば、「有利状態の継続回数に係る情報」を遊技者に報知するタイミングは、特定遊技が開始されるタイミングや、所定の演出が行われたタイミング等の予め定められたタイミングである。一方、特定遊技中に可変入球口に入球するタイミングでは、当該入球を受けて払い出される遊技球数が表示されることが一般的である。この点、本遊技機では、特定遊技の実行中に遊技球が可変入球口に入球するタイミングで、当該入球と関係の無い「有利状態の継続回数に係る情報」の表示を更新する。このため、遊技者に対して意外性を与えることができ、また、「有利状態の継続回数に係る情報」の表示を更新するタイミングを多様にすることができ、遊技興趣を高めることが可能となる。
【０１６６】
＜遊技機Ａ６＞
遊技機Ａ１において、
前記有利状態は、当該有利状態の設定中に前記特定遊技が開始されなければ、前記識別情報の変動表示が所定の継続回数行われると終了するものであり、
少なくとも特定遊技の実行中は、数字を示す数字画像を表示可能であり、
前記特定遊技の終了後に前記有利状態が設定される場合は、当該特定遊技の実行中に遊技球が前記可変入球口に入球する複数回のタイミングに亘って、前記継続回数を限度に前記数字画像が示す数字を増加させる
ことを特徴とする遊技機。
【０１６７】
このような遊技機であれば、特定遊技の実行中は、数字を示す数字画像を表示可能であり、遊技球が可変入球口に入球する度に該数字画像が示す数字を（有利状態の継続回数を限度に）増加させる。このため、遊技者に対して、遊技球が可変入球口に入球する度に「有利状態の継続回数」が増加していくように感じさせることができ、遊技興趣を高めることが可能となる。
【０１６８】
＜遊技機Ａ７＞
遊技機Ａ６において、
１回の前記特定遊技としては、前記可変入球口が開放状態となるラウンド遊技が複数回行われるものであり、
前記数字画像が示す数字を増加させる前記複数回のタイミングは、複数回の前記ラウンド遊技に跨がっている
ことを特徴とする遊技機。
【０１６９】
このような遊技機であれば、数字画像が示す数字は複数回のラウンド遊技に分けて増加される。ここで、ラウンド遊技とラウンド遊技との間は、所定の時間のインターバル（間隔）が設けられることが通常である。従って、本遊技機のように、数字画像が示す数字が複数回のラウンド遊技に分けて増加されると、数字画像の数字が増加されるタイミング同士の間隔が（少なくともインターバル分は）長くなる。そして、この場合は、数字画像の数字の増加が終了したように遊技者に感じさせた後、再度、数字画像が示す数字の増加が開始されることとなる。このため、遊技者に対して、一旦終了した「有利状態の継続回数」の増加が再開したように感じさせることができ、遊技興趣を高めることが可能となる。
【０１７０】
＜遊技機Ａ８＞
遊技機Ａ６または遊技機Ａ７において、
前記複数回のタイミング間は、前記数字画像が示す数字の変動が行われており、前記複数回のタイミングで該変動が停止する
ことを特徴とする遊技機。
【０１７１】
このような遊技機では、数字画像が示す数字が増加される複数回のタイミング間は、該数字画像が示す数字の変動が行われており、遊技球が可変入球口に入球するタイミングで該数字画像が示す数字の変動が停止する。従って、遊技球が可変入球口に入球する度に「有利状態の継続回数」が増加していくような遊技者の感覚を更に強めることができ、遊技興趣を高めることが可能となる。
【０１７２】
＜遊技機Ａ９＞
遊技機Ａ６乃至遊技機Ａ８の何れか１つの遊技機において、
前記特定遊技が前記有利状態の設定中に開始された場合は、
当該特定遊技の実行中に前記数字が増加される前の前記数字画像は、当該有利状態の前記継続回数の残り回数を示している
ことを特徴とする遊技機。
【０１７３】
このような遊技機では、有利状態中に特定遊技が開始される場合、通常であれば（有利状態中の最後の変動表示で識別情報が特定態様で表示される場合以外は）、継続回数が残る。本遊技機では、この残り回数を示す数字画像表示しておき、その後、特定遊技の実行中に遊技球が可変入球口に入球する度に、該数字画像が示す数字を残り回数から増加させていく。こうすると、遊技者に対して、遊技球が可変入球口に入球する度に一旦減少した継続回数が復活（増加）していくように感じさせることができ、遊技興趣を高めることが可能となる。
【産業上の利用可能性】
【０１７４】
本発明は、遊技ホールで用いられる遊技機に利用することができる。
【符号の説明】
【０１７５】
１…パチンコ機（遊技機）、２０…遊技盤、２８…大入賞口（可変入球口）、４０…演出用開口部、４１…演出表示装置、２００…主制御基板、２０１…ＣＰＵ（識別情報表示手段、特定遊技実行手段、有利状態設定手段）、２２０…サブ制御基板、２２１…ＣＰＵ。
【図１】
2019208580.tif 000003
【図２】
2019208580.tif 000004
【図３】
2019208580.tif 000005
【図４】
2019208580.tif 000006
【図５】
2019208580.tif 000007
【図６】
2019208580.tif 000008
【図７】
2019208580.tif 000009
【図８】
2019208580.tif 000010
【図９】
2019208580.tif 000011
【図１０】
2019208580.tif 000012
【図１１】
2019208580.tif 000013
【図１２】
2019208580.tif 000014
【図１３】
2019208580.tif 000015
【図１４】
2019208580.tif 000016
【図１５】
2019208580.tif 000017
【図１６】
2019208580.tif 000018
【図１７】
2019208580.tif 000019
【図１８】
2019208580.tif 000020